(57)【特許請求の範囲】
【請求項１】
遊技球が流下する遊技領域が前面側に形成された遊技盤と、
前記遊技領域に向けて発射位置に装填された遊技球を発射する発射装置と、
前記発射装置により発射された遊技球を前記遊技領域へ導く発射レールと、
前記発射装置の動作制御を行う制御装置と、を備え、
前記発射装置は、前記制御装置の制御信号に基づいて駆動する駆動源により打球動作と戻り動作とを交互に行う、回動軸に軸支された発射杵を有し、該打球動作における該発射杵の回転範囲を規制する、回動規制機構を備え、
前記発射杵は、正面視において、前記打球動作において前記発射位置に装填されていた遊技球を放つ直前に該遊技球と接触している第１接触部と、前記回動軸の中心とを結ぶ第１直線が、前記発射レールの延設方向に対する垂線の上方を該発射レールの先端側に傾斜させた直線と平行となるように、前記第１規制部材により規制されるように構成され、
前記回動規制機構は、前記発射杵の前面側を開閉可能に覆う保護部材と、
前記第１規制部材が支持される支持部とを有し、
前記保護部材は、略垂直面内において回動可能となるように基端側が軸支され、かつ、先端側が前記支持部に着脱可能に掛け止められるように構成され、
前記発射杵は、前記打球動作において、前記発射位置の遊技球を前記発射レールの延設方向よりも下方に押し出すよう動作する、ことを特徴とする遊技機。
【請求項２】
前記発射杵は、前記打球動作において、前記発射位置の遊技球に接触しながら回転することにより、該遊技球にバックスピンを掛ける、ことを特徴とする請求項１に記載の遊技機。
【請求項３】
前記発射杵が前記発射位置の遊技球に接した際に、該遊技球と該発射杵の間に発生する摩擦力が、該遊技球と前記発射レールの間に発生する摩擦力よりも大きくなるように構成されている、ことを特徴とする請求項1又は２に記載の遊技機。
【請求項４】
前記回動規制機構は、
前記支持部に支持されている前記第１規制部材の前方に配置され、該支持部に支持される第１弾性部材と、
前記第１規制部材の後方に配置され、該第１規制部材の後部を保持する収容部が形成された支持ベースとを有し、
前記第１規制部材は、前記第１弾性部材により、その後部が前記収容部内に仮止めされており、前記保護部材を前記支持部に掛け止めた際には該第１弾性部材の弾性力により該収容部内に保持される、ことを特徴とする請求項１に記載の遊技機。
【請求項５】
前記発射装置は、前記駆動源の上方を覆うトレーと、該トレー上に流れてきた液体を外部に排出するための排出口とを有する、ことを特徴とする請求項１，２，３又は４に記載の遊技機。
【請求項６】
前記遊技盤が支持される遊技機ベースユニットと、
前記遊技盤の前面側を覆い、前記遊技機ベースユニットに開閉可能に設けられる遊技機前面ユニットと、
前記遊技機ベースユニット及び前記遊技機前面ユニットの開閉端部に対向して設けられた開閉ガイド機構と、を備え、
前記開閉ガイド機構は、前記発射装置の下方の空間に配設されたレール状のガイド部材である、ことを特徴とする請求項１、２、３，４又は５に記載の遊技機。
【発明の詳細な説明】
【技術分野】
【０００１】
本発明は、遊技球を使用して遊技をするパチンコ機等の遊技機に関する。
【背景技術】
【０００２】
従来、遊技機の一種であるパチンコ機の前面側には、遊技球が流下する遊技領域が設けられている。遊技球は、遊技者の操作に基づいて動作する発射装置により発射レール上から発射され、誘導通路を形成するレール部材により遊技領域の上部に誘導される。そして、遊技領域内に設けられた各種入賞口に遊技球が入球すると、所定の個数の遊技球（賞球）が遊技者に払い出される。
【０００３】
遊技機には、例えば、リニアソレノイドを発射装置として用いて、発射レール上の遊技球を打ち出すように構成されているものがある。このような遊技機の場合、プランジャが発射レールの延設方向と平行に往復移動できるように、リニアソレノイドを発射レールの一端側に配置する。そのため、どうしても発射装置が横長に大きくなってしまい、限られた遊技機内のスペースを有効に使用できないという問題があった。そのため、発射装置にロータリーソレノイドを用いて、これを小型化した遊技機が提案されている。
【０００４】
例えば、特許文献１の特開２０１１−９２２６６号の「パチンコ発射装置及びそのパチンコ発射装置を備えた遊技機」は、複数の腕状部を持ち、この複数の腕状部が略１８０°の角度範囲内にある磁性体から成るロータと、ロータの腕状部の数と同数の磁極面を有するヨークから成るステータと、ヨークに巻かれたコイルと、を備えたロータリーソレノイドと、ロータの回転軸に略Ｌ字形状のハンマーを備え、Ｌ字の短片部と長片部で囲まれる側であって、ハンマーが遊技球を打球したときに該ハンマーの長片部が当接する一方、ハンマーが待機位置に戻るときには該ハンマーの短片部が当接する位置に、ハンマーの可動を規制するストッパを設けたことを特徴とする。
【先行技術文献】
【特許文献】
【０００５】
【特許文献１】特開２０１１−９２２６６号公報
【発明の概要】
【発明が解決しようとする課題】
【０００６】
特許文献１の「パチンコ発射装置及びそのパチンコ発射装置を備えた遊技機」は、回動するハンマーを用いて遊技球を打ち出すとともに、打球時及び待機時にハンマーの可動を規制するストッパを設けることにより、発射装置の小型化を図っている。
【０００７】
しかし、この遊技機によれば、発射装置を小型化することはできるものの、直線状の発射レール上にある遊技球を回動するハンマーにより打ち出すので、遊技球を一点で捕えて発射させることが困難であった。遊技球をハンマーで掬うようにして打ち出すため、遊技球が発射レールから浮き上がってしまい軌道が安定しないという問題があった。
【０００８】
本発明は、上述した問題を解決するために創案されたものである。すなわち、本発明の目的は、軌道が安定するように遊技球を発射させることができる発射装置を備えた遊技機を提供することにある。
【課題を解決するための手段】
【０００９】
本発明の遊技機は、
遊技球が流下する遊技領域が前面側に形成された遊技盤と、
前記遊技領域に向けて発射位置に装填された遊技球を発射する発射装置と、
前記発射装置により発射された遊技球を前記遊技領域へ導く発射レールと、
前記発射装置の動作制御を行う制御装置と、を備え、
前記発射装置は、前記制御装置の制御信号に基づいて駆動する駆動源により打球動作と戻り動作とを交互に行う、回動軸に軸支された発射杵を有し、該打球動作における該発射杵の回転範囲を規制する、回動規制機構を備え、
前記発射杵は、正面視において、前記打球動作において前記発射位置に装填されていた遊技球を放つ直前に該遊技球と接触している第１接触部と、前記回動軸の中心とを結ぶ第１直線が、前記発射レールの延設方向に対する垂線の上方を該発射レールの先端側に傾斜させた直線と平行となるように、前記第１規制部材により規制されるように構成され、
前記回動規制機構は、前記発射杵の前面側を開閉可能に覆う保護部材と、
前記第１規制部材が支持される支持部とを有し、
前記保護部材は、略垂直面内において回動可能となるように基端側が軸支され、かつ、先端側が前記支持部に着脱可能に掛け止められるように構成され、
前記発射杵は、前記打球動作において、前記発射位置の遊技球を前記発射レールの延設方向よりも下方に押し出すよう動作する、ことを特徴とする。
【発明の効果】
【００１０】
上記遊技機によれば、発射レールに沿って移動するように遊技球を発射させるので、遊技球の軌道が安定する。そのため、発射レールを短くすることができ、発射装置を小型化することができる。
【図面の簡単な説明】
【００１１】
【図１】一実施の形態におけるパチンコ機を示す斜視図である。
【図２】パチンコ機の主要な構成を展開して示す斜視図である。
【図３】パチンコ機の主要な構成を展開して示す斜視図である。
【図４】パチンコ機の構成を示す背面図である。
【図５】遊技機ベースユニットの構成を示す正面図である。
【図６】遊技盤の構成を示す正面図である。
【図７】遊技機ベースユニットの構成を示す背面図である。
【図８】遊技機前面ユニットの構成を示す背面図である。
【図９】裏パックユニットの構成を示す正面図である。
【図１０】裏パックユニットの構成を示す分解斜視図である。
【図１１】上下通路ユニットの構成を示す斜視図である。
【図１２】上下通路ユニットの構成を示す分解斜視図である。
【図１３】上下通路ユニットの構成を示す分解斜視図である。
【図１４】上下通路ユニットに形成された通路の一部の構成を説明するための説明図である。
【図１５】払出装置の構成を示す分解斜視図である。
【図１６】遊技球の払い出しに関する通路構成を説明するための説明図である。
【図１７】遊技球の払い出しに関する通路構成を説明するための説明図である。
【図１８】前面側通路ユニットの構成を示す斜視図である。
【図１９】前面側通路ユニットの構成を示す分解斜視図である。
【図２０】前面側通路ユニットの構成を示す正面図である。
【図２１】ファール球入賞口を示す説明図である。
【図２２】ファール球入賞口の変形例を示す正面図である。
【図２３】遊技球発射機構の正面図である。
【図２４】遊技球発射機構の保護部材を開いた状態を示す正面図である。
【図２５】遊技球発射機構を左斜め上方から視認した斜視図である。
【図２６】遊技球発射機構を部分的に分解した分解斜視図である
【図２７】遊技球発射機構のうち、支持板の上側に支持される構成を分解した分解斜視図である。
【図２８】遊技球発射機構のうち、支持板の下側に支持される構成を分解した分解斜視図である。
【図２９】支持ベースの突出部と打球動作規制部と第１保持部と保護部材の関係を説明する図２６のＸ−Ｘ線断面図である。
【図３０】打球動作する発射杵の打球部と遊技球の関係を説明する概略正面図である。
【図３１】発射杵の打球部の一例を示す図である。
【図３２】パチンコ機の電気的構成を示すブロック図である。
【図３３】主制御回路のＣＰＵによるＮＭＩ割込み処理を示すフローチャートである。
【図３４】タイマ割込み処理を示すフローチャートである。
【図３５】メイン処理を示すフローチャートである。
【図３６】通常処理を示すフローチャートである。
【図３７】払出制御基板のＣＰＵによる入力時割込み処理を示すフローチャートである。
【図３８】メイン処理を示すフローチャートである。
【図３９】タイマ割込み処理を示すフローチャートである。
【図４０】コマンド判定処理を示すフローチャートである。
【実施例１】
【００１２】
以下、本発明の好ましい実施の形態を、図面を参照して説明する。
図１はパチンコ機１０の斜視図である。図２及び図３はパチンコ機１０の主要な構成を展開して示す斜視図である。図４はパチンコ機１０の背面図である。なお、図２では便宜上パチンコ機１０の遊技領域６１ａ（図６参照）内の構成を省略している。
【００１３】
パチンコ機１０は、当該パチンコ機１０の外殻を形成する外枠１１と、この外枠１１に対して前方に回動可能に取り付けられた遊技機主部２１とを有する。
【００１４】
外枠１１は、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。上記のように左右の板材１２，１３を金属製とするとともに上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。また、パチンコ機１０が外枠１１を備える構成としたが、パチンコ機１０は外枠１１を備えずに遊技機主部２１のみを備える構成としてもよい。
【００１５】
外枠１１の左側の板材１２には、その上下の各端部に支持金具１７，１８が取り付けられている。これら支持金具１７，１８に支持させるようにして、図２及び図３に示すように、遊技機主部２１が外枠１１に対して回動可能に取り付けられている。
【００１６】
遊技機主部２１は、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００１７】
遊技機ベースユニット２２は、図２及び図３に示すように、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。また、遊技機ベースユニット２２にはシリンダ錠３５が設けられており、シリンダ錠３５の操作によって連動杆３２を上方向又は下方向のうち予め定められた方向に移動させると、外枠１１に対する遊技機ベースユニット２２の施錠状態が解除される。
【００１８】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００１９】
次に、遊技機ベースユニット２２、遊技機前面ユニット２３及び裏パックユニット２４のそれぞれについて詳細に説明する。
【００２０】
＜遊技機ベースユニット２２＞
先ず、遊技機ベースユニット２２の構成について詳細に説明する。図５は遊技機ベースユニット２２の正面図である。図６は遊技機ベースユニット２２に搭載された遊技盤６１の正面図である。図７は遊技機ベースユニット２２の背面図である。なお、図５では便宜上パチンコ機１０の遊技領域６１ａ内の構成を省略している。
【００２１】
遊技機ベースユニット２２は、外形が外枠１１とほぼ同一形状をなす樹脂ベース４１を主体に構成されている。樹脂ベース４１の中央部には略楕円形状の窓孔５１が形成されている。樹脂ベース４１にはその後方から遊技盤６１が着脱可能に取り付けられている（図３参照）。詳細には、樹脂ベース４１の裏面には、図７に示すように、複数（本実施の形態では４箇所）の固定金具５２〜５５が設けられており、これら固定金具５２〜５５によって遊技盤６１は後方へ脱落しないように固定されている。固定金具５２〜５５は手動で回動操作することができ、固定位置（ロック位置）と固定解除位置（アンロック位置）とに切り換えることができるよう構成されている。
【００２２】
遊技盤６１は合板よりなり、遊技球が流下する遊技領域６１ａ（図６参照）が前面側に形成されており、この遊技領域６１ａが樹脂ベース４１の窓孔５１を通じて遊技機ベースユニット２２の前面側に露出した状態となっている。
【００２３】
ここで、遊技盤６１の構成を図６に基づいて説明する。遊技盤６１には、ルータ加工が施されることによって前後方向に貫通する大小複数の開口部が形成されている。各開口部には一般入賞口６２、可変入賞装置６３、上作動口６４、下作動口６５、ファール球入賞口４０１、スルーゲート６６及び可変表示ユニット６７等がそれぞれ設けられている。このうち、可変入賞装置６３、上作動口６４、下作動口６５及び可変表示ユニット６７は、遊技盤６１の左右方向の中央において上下方向に並べて設けられており、上から可変表示ユニット６７、上作動口６４、下作動口６５及び可変入賞装置６３の順となっている。また、一般入賞口６２は、遊技盤６１の下部において、左側に２個及び右側に２個の合計４個設けられている。ファール球入賞口４０１は、遊技盤６１の左下端部において、遊技領域６１ａよりも外側に１個設けられている。ちなみに、遊技盤６１の左側は遊技機前面ユニット２３の回動基端側に相当し、遊技盤６１の右側は遊技機前面ユニット２３の回動先端側に相当する。
【００２４】
一般入賞口６２、可変入賞装置６３、上作動口６４、下作動口６５及びファール球入賞口４０１に遊技球が入球（入賞）すると、それが後述する各入賞検知センサ３２５〜３２８及びファール球入賞検知センサ４７０（図２３参照）により検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出され、ファール球入賞口４０１に一の遊技球が入球すると単位遊技球数として１個の遊技球が払い出される。  その他に、遊技盤６１の遊技領域６１ａの最下部にはアウト口６８が設けられており、各種入賞口等に入らなかった遊技球はアウト口６８を通って遊技領域６１ａから排出される。また、遊技盤６１には、遊技球の落下方向を適宜分散、調整等するために多数の遊技釘６９が植設されていると共に、風車等の各種部材（役物）が配設されている。
【００２５】
可変表示ユニット６７には、いずれかの作動口６４，６５への入賞をトリガとして図柄を可変表示する図柄表示装置７１が設けられている。また、可変表示ユニット６７には、図柄表示装置７１を囲むようにしてセンターフレーム７２が配設されている。センターフレーム７２の上部には、第１特定ランプ部７３及び第２特定ランプ部７４が設けられている。また、センターフレーム７２の上部及び下部にはそれぞれ保留ランプ部７５，７６が設けられている。下側の保留ランプ部７５は、図柄表示装置７１及び第１特定ランプ部７３に対応しており、遊技球が作動口６４，６５を通過した回数は最大４回まで保留され保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され保留ランプ部７６の点灯によってその保留個数が表示されるようになっている。
【００２６】
図柄表示装置７１は、液晶ディスプレイを備えた液晶表示装置として構成されており、後述する表示制御装置１０１により表示内容が制御される。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００２７】
第１特定ランプ部７３では、作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００２８】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００２９】
遊技盤６１には、正面視において略円弧状の内レール７７及び外レール７８が取り付けられており、これらの一部は、遊技盤６１の左側において内と外に略並行するように設けられている。内レール７７及び外レール７８は、遊技盤６１の中央部に遊技領域６１ａを区画形成すると共に、これらが略並行する部分（以下、内誘導レール部７７ａ及び外誘導レール部７８ａという）により遊技領域６１ａの外側に、その外縁部に沿う略Ｃ字状の発射球誘導通路６１ｐ（図６参照）を形成している。後述する遊技球発射機構８０から発射された遊技球は、この誘導レール部７７ａ，７８ａにより、発射球誘導通路６１ｐを通り遊技領域６１ａの上方まで誘導される。外誘導レール部７８ａの遊技球発射機構８０側である下端部においては、発射された遊技球が発射球誘導通路６１ｐ内に入りやすいように、また、発射球誘導通路６１ｐを逆流してきたファール球が後述するファール球回収口１５０（図５参照）に流れ込みやすくするために、外誘導レール部７８ａは下端側に向かって徐々にその曲率が小さくなるように形成されている。ちなみに、図５に示すように、樹脂ベース４１の窓孔５１の右上部には返しゴム７９が設けられており、所定以上の勢いで発射された遊技球は返しゴム７９に当たり、遊技領域６１ａの中央寄りに跳ね返されるようになっている。この場合、返しゴム７９はその遊技球が当たる面が遊技領域６１ａの中央側に向けて傾斜させて形成されているため、遊技領域６１ａの中央に向けた遊技球の跳ね返しが良好に行われるようになっている。
【００３０】
本発明の特徴である遊技球発射機構８０は、図５に示すように、樹脂ベース４１における窓孔５１の右下方に取り付けられている。遊技球発射機構８０の詳細については後述するが、遊技球発射機構８０は、回動する発射杵８１１１を有する電磁式のロータリーソレノイド（発射部）８１１を備えた発射装置８１と、発射レール部８２と、球送り機構８３などからなる（図２５等参照）。後述する上皿９５ａ（図１参照）内の遊技球は、球送り機構８３によって１球ずつ発射レール８２１上の発射位置に送り込まれる。そして、発射位置に装填された遊技球は、ロータリーソレノイド（発射部）８１１への電気的な信号の入力によって動作する発射杵８１１１（図２５等参照）により、遊技領域６１ａ（発射球誘導通路６１ｐ内）に向けて打ち出される。遊技球発射機構８０の詳細については後述するが、本発明では、発射レール部８２の下方にロータリーソレノイド（発射部）８１１を配設し発射レール８２１（図２５等参照）に沿うように遊技球を発射させるため、遊技球発射機構８０を小型化することができ、図２に示すように、その右方には他の部材を配設するスペースが確保される。本遊技機１０においては、このスペースに開閉ガイド機構９０を配設している。
【００３１】
開閉ガイド機構９０（ベースユニット側ガイド部材９０ａ，前面ユニット側ガイド部材９０ｂ）は、図２に示すように、開閉レール部（ｐ，ｑ）が形成された１組の略板状の金属製部材であり、遊技機ベースユニット２２の樹脂ベース４１の下枠部内側の右端部と遊技機前面ユニット２３の下面右端部に対向するように設けられている。ベースユニット側ガイド部材９０ａは、前側部分が後方に向かって徐々にせり上がるように形成された略矩形の板状部材であり、前面ユニット側ガイド部材９０ｂは、後側部分が後方に向かって徐々にせり上がるように形成された略矩形の板状部材である。また、ベースユニット側ガイド部材９０ａの上面には、回動軸（支持金具１７，１８）を中心とする横断面が略半円の、平面視円弧状の溝である開閉溝部ｐが形成され、前面ユニット側ガイド部材９０ｂの下面には、これに対向するように下方に突出する半球状の突起である開閉凸部ｑが形成されている。なお、開閉溝部ｐの横断面（半円）の径と開閉凸部ｑの径は略同じ大きさであるが、開閉溝部ｐはその前端側において、開閉凸部ｑを係合させやすいように溝の左右方向が若干大きくなるように形成されている。遊技機前面ユニット２３の後述する窓パネル部９１には大きなガラスが嵌め込まれているため、遊技機前面ユニット２３は遊技機ベースユニット２２から開くとその重さで僅かに下がった状態となってしまう。開閉ガイド機構９０は、遊技機前面ユニット２３を開閉する際にこれを正しい開閉方向に案内することにより、ヒンジ部材である支持金具１７，１８に掛かる負担を減らすとともに、遊技機ベースユニット２２及び遊技機前面ユニット２３の周縁部に配設されている部材の摩耗や破損を防ぐためのものである。例えば、遊技機前面ユニット２３を閉じる際には、遊技機前面ユニット２３はベースユニット側ガイド部材９０ａのせり上がりにより上方に押し上げられるとともに、開閉凸部ｑが円弧状の開閉溝部ｐに係合して動く。このように、遊技機前面ユニット２３は、せり上がりにより上下位置が、開閉レール部ｐ，ｑにより左右位置が定まるように案内されるので、ぶれることなく遊技機ベースユニット２２の所定の位置にくるように閉じることができる。また、本遊技機１０においては、遊技球発射機構８０を小型化することにより、回動先端（開閉先端）側の端部にスペースを確保して開閉ガイド機構９０を設けているので、開閉動作を容易に行うことができる。なお、本遊技機１０には、遊技機前面ユニット２３側にベースユニット側ガイド部材９０ａを設けたが、溝部と凸部を逆にして、遊技機ベースユニット２２側に設けてもよい。
【００３２】
発射装置８１（ロータリーソレノイド８１１）への電気的な信号の入力は、所定の条件下において、遊技機前面ユニット２３の下部に設けられた遊技球発射ハンドル８４（図１等参照）が操作されることに基づいて発生する。具体的には、後述する発射制御装置１４７は、遊技者が操作ハンドルに触れていることをタッチセンサにより検出し、かつ、遊技者が発射を停止させるための発射停止スイッチを操作していないことを条件に、遊技球発射ハンドル８４の回転操作量（回転角度）に対応してソレノイドを励磁し、回転操作量に応じた打ち出し強さ（打出強度）で遊技球を発射する。遊技者は遊技球発射ハンドル８４の回転角度を変化させることにより、ソレノイドの出力軸の移動量を制御し、所望の打出強度で遊技球を発射させることができる。
【００３３】
遊技球発射機構８０の発射レール８２１は、樹脂ベース４１の左上方の発射球誘導通路６１ｐに通じるように、斜め左上がりとなるように設置されている。また、遊技球発射機構８０（発射レール８２１）と発射球誘導通路６１ｐ（誘導レール部７７ａ，７８ａ）とは、図５に示すように間隔を空けて設置され、この空間がファール球を回収するためのファール球回収口１５０となっている。遊技球発射機構８０から発射される遊技球は、ソレノイドの出力軸による打出強度が弱いと、遊技領域６１ａに到達することなく発射球誘導通路６１ｐ（誘導レール７７ａ，７８ａ内）を逆流する場合がある。また、遊技領域６１ａに進入しても遊技釘６９に当たって跳ね返り、発射球誘導通路６１ｐ内に逆戻りして逆流する場合などがある。このように、遊技球発射機構８０から発射されたにもかかわらず、遊技領域６１ａを流下することなく発射球誘導通路６１ｐを逆流する遊技球や、打出強度が弱すぎて発射球誘導通路６１ｐ内にさえ到達しない遊技球をファール球という。ファール球は、次に発射される遊技球との衝突を避けるためにファール球回収口１５０に自然落下させて、遊技者に返却するように構成されている。なお、ファール球回収口１５０は、後述する前面側通路ユニット２７１のファール球用開口部２８１（図１９参照）と連通しており、下皿９６ａ（図１参照）に排出される。なお、発射球誘導通路６１ｐの途中の下方には、発射球誘導通路６１ｐを逆流するファール球が流入可能なファール球入賞口４０１が設けられているが、その詳細については後述する。
【００３４】
樹脂ベース４１の前面における回動基端側にはその上端部及び下端部に支持金具４２，４３が取り付けられており、これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００３５】
＜遊技機前面ユニット２３＞
ここで、遊技機前面ユニット２３の構成について説明する。図８は遊技機前面ユニット２３の背面図である。
【００３６】
図１及び図８に示すように、遊技機前面ユニット２３は遊技機ベースユニット２２の前面側全体を覆うようにして設けられている。遊技機前面ユニット２３には、上記遊技領域６１ａの略全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００３７】
遊技機前面ユニット２３における窓パネル部９１の下方には、手前側へ膨出した上側膨出部９５と下側膨出部９６とが上下に並設されている。上側膨出部９５内側には上方に開口した上皿９５ａが設けられており、下側膨出部９６内側には同じく上方に開口した下皿９６ａが設けられている。上皿９５ａは、後述する払出装置より払い出された遊技球を一旦貯留すると共に、自然に一列に整列させながら遊技球発射機構８０側へ導くための機能を有する。また、下皿９６ａは、上皿９５ａ内にて余剰となった遊技球を貯留する機能を有する。なお、下側膨出部９６の右方には、上述した遊技球発射ハンドル８４が設けられている。
【００３８】
遊技機前面ユニット２３の背面における回動基端側（図８の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図８の左側）には、上述した鉤金具４４が上下方向に複数並設されている。
【００３９】
また、遊技機前面ユニット２３の背面には、図８に示すように、前面側通路ユニット２７１が取り付けられている。前面側通路ユニット２７１は、合成樹脂により成形されており、上皿９５ａに通じる前扉側上皿通路（後述する前面側上皿通路部２７２）と、下皿９６ａに通じる前扉側下皿通路（後述する前面側下皿通路部２７３）とが形成されている（図２０参照）。前面側通路ユニット２７１の詳細については後に説明する。
【００４０】
＜遊技機ベースユニット２２の背面構成＞
次に、遊技機ベースユニット２２の背面構成について図７を用いて詳細に説明する。
【００４１】
樹脂ベース４１の背面における回動先端側には既に説明した施錠装置３１が設けられている。また、樹脂ベース４１の中央には上記のとおり遊技盤６１が取り付けられている。
【００４２】
遊技盤６１の中央に配置された可変表示ユニット６７には、図３、図６及び図７に示すように、センターフレーム７２を後方から覆う合成樹脂製のフレームカバー１００が後方に突出させて設けられており、フレームカバー１００に対して後側から上述した図柄表示装置７１が取り付けられているとともに、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００４３】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００４４】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる基板ボックス１０８に収容されて構成されている。なお、当該基板ボックス１０８には、当該基板ボックスの開放痕跡手段としてカシメ構造や図示しない封印シールが設けられているとともに、取付台１０６に対する主制御装置１０７の離脱痕跡手段としてカシメ構造が設けられている。
【００４５】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサ３２５〜３２８及びファール球入賞検知センサ４７０（図２１参照）などが設けられている。遊技球回収機構にて回収された遊技球は後述する排出通路１４４（図１０参照）を介してパチンコ機１０外部に排出される。遊技球回収機構は、例えば、ファール球入賞口４０１のファール球用貫通孔４１０と連通するように配置され、ファール球を回収して遊技機外部に排出するためのファール球排出樋４８０（図２１（ｃ）参照）を備えており、ファール球入賞検知センサ４７０はこのファール球排出樋４８０の上端部に設けられている。なお、ファール球用貫通孔４１０及びファール球排出樋４８０等については、後述する。入賞検知センサ３２５〜３２８及びファール球入賞検知センサ４７０は、主制御装置１０７と電気的に接続されており、遊技球の入賞を検知した場合の検知信号は主制御装置１０７にて入力される。
【００４６】
樹脂ベース４１の背面における回動基端側（図７の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。これら軸受け金具１１１〜１１３に対して軸支させて遊技機ベースユニット２２には裏パックユニット２４が取り付けられている。裏パックユニット２４により、図３に示すように、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００４７】
樹脂ベース４１の背面には、図３及び図７に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図７に示すように、樹脂ベース４１の背面には締結孔部１１６が形成されており、当該締結孔部１１６に対して裏パックユニット２４に設けられた締結具１１７（図９参照）を締結させることによっても裏パックユニット２４が遊技機ベースユニット２２に固定される。
【００４８】
＜裏パックユニット２４＞
次に、裏パックユニット２４の構成について詳細に説明する。図９は裏パックユニット２４の正面図である。図１０は裏パックユニット２４の分解斜視図である。
【００４９】
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００５０】
第１裏パックユニット１２１と第２裏パックユニット１４１には、図９に示すように、それぞれ軸金具１２３，１３９が設けられており、それら軸金具１２３，１３９はそれぞれ個別に軸受け金具１１１〜１１３に支持されている。これにより、第１裏パックユニット１２１と第２裏パックユニット１４１とは、遊技機ベースユニット２２に対してそれぞれ個別に回動可能となっている。
【００５１】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５２】
次に、第１裏パックユニット１２１の構成について詳細に説明する。
【００５３】
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００５４】
ベース部１２６には、その右上部に外部端子板１３１が設けられている。また、ベース部１２６には上述した第１裏パックユニット１２１の軸金具１２３が設けられている。
外部端子板１３１は、遊技ホール側の管理装置に対する各種情報の送信を中継するためのものであり、複数の出力端子が設けられている。出力端子は、例えば、現在の遊技状態（大当たり状態や確変モード等）に関する情報を出力するための端子、入球エラー、下皿満タンエラー、タンク球無しエラー、払出しエラーなど各種エラー状態に関する情報を出力するための端子、遊技球発射機構８０から発射された遊技球の数に関する情報を出力するための端子、後述する払出制御装置１４６から払出される賞球数に関する情報を出力するための端子などである。これらの情報は、遊技ホール側の管理装置（所謂、ホールコンピュータ）において、不正行為や故障の有無の判定や遊技ホールの経営管理などに用いられる。
【００５５】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００５６】
つまり、タンク１３２と、上皿９５ａ及び下皿９６ａの受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００５７】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００５８】
次に、第２裏パックユニット１４１の構成について詳細に説明する。
【００５９】
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００６０】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００６１】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００６２】
払出制御装置１４６は、基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００６３】
電源及び発射制御装置１４７は、基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【００６４】
＜上下通路ユニット１３４＞
次に、上下通路ユニット１３４の構成について詳細に説明する。図１１は上下通路ユニット１３４の斜視図である。図１２及び図１３は上下通路ユニット１３４の分解斜視図である。図１４は上下通路ユニット１３４に形成された通路の一部の構成を説明するための説明図である。
【００６５】
上下通路ユニット１３４は、図１１に示すように、上側ユニット１６１と、払出装置１３５と、下側ユニット１６２とを備えている。これら上側ユニット１６１、払出装置１３５及び下側ユニット１６２が上下通路ユニット１３４として一体化されていることにより、上皿９５ａ及び下皿９６ａへ通じる誘導通路部の一部が形成されている。また、上側ユニット１６１及び下側ユニット１６２により、タンク１３２に貯留されている遊技球を島設備に排出するための排出通路部が形成されている。これら上側ユニット１６１、払出装置１３５及び下側ユニット１６２について詳細に説明する。
【００６６】
上側ユニット１６１は、図１２及び図１３に示すように、ポリカーボネートなどといった透明性を有する合成樹脂により形成された一対のハウジング部材１７１，１７２を備えている。各ハウジング部材１７１，１７２には、それぞれ通路壁が一体形成されている。これらハウジング部材１７１，１７２は両者の間に、ハウジング部材１７１，１７２と同様に透明性を有する合成樹脂により形成された仕切板１７３を挟んだ状態で前後に組み付けられている。これにより、図１４に示すように、パチンコ機１０後側のハウジング部材１７１と仕切板１７３により第１ケースレール部１７４が形成されているとともに、パチンコ機１０前側のハウジング部材１７２と仕切板１７３により第２ケースレール部１７５が形成されている。
【００６７】
なお、一対のハウジング部材１７１，１７２に対しては、両者を前後に挟むようにして外側カバー１７６が取り付けられているとともに、パチンコ機１０の搬送時等においてコンセントプラグを保持するための保持部材１７７が取り付けられている。
【００６８】
第１ケースレール部１７４及び第２ケースレール部１７５は前後に並設されており、上下方向の途中位置に湾曲部を有するように蛇行させて形成されている。第１ケースレール部１７４及び第２ケースレール部１７５は、共に上記誘導通路部の一部を構成している。
【００６９】
上側ユニット１６１には、図１４に示すように、第１ケースレール部１７４及び第２ケースレール部１７５の他に、上側排出通路部１７８が形成されている。上側排出通路部１７８は、一対のハウジング部材１７１，１７２間において仕切板１７３により仕切られていない領域に形成されており、第１ケースレール部１７４及び第２ケースレール部１７５よりもパチンコ機１０外側に位置している。上側排出通路部１７８は、第１ケースレール部１７４及び第２ケースレール部１７５の両方に対してそれらの途中位置から分岐させて設けられている。
【００７０】
ここで、上側排出通路部１７８の入口部分には、切換片１８１が設けられている。切換片１８１は、前後方向を回動軸として、両ハウジング部材１７１，１７２に対して回動可能に支持されている。切換片１８１は、両ハウジング部材１７１，１７２の間に内蔵されている。また、切換片１８１よりもパチンコ機１０外側には切換操作片１８２が設けられている。当該切換操作片１８２も切換片１８１と同様に、前後方向を回動軸として、両ハウジング部材１７１，１７２に対して回動可能に支持されている。
【００７１】
切換操作片１８２は、両ハウジング部材１７１，１７２内に位置する押圧部１８３と、両ハウジング部材１７１，１７２外に位置するレバー部１８４とを有している。切換操作片１８２は、レバー部１８４を操作して回動させることで、押圧部１８３が切換片１８１を押圧する押圧位置と、当該押圧を解除する押圧解除位置とに切換配置可能となっている。
【００７２】
切換操作片１８２を、図１４の実線で示すように、押圧位置に配置した場合には、上記のとおり切換操作片１８２の押圧部１８３により切換片１８１が押圧され、当該切換片１８１は第１ケースレール部１７４及び第２ケースレール部１７５の通路壁の一部を構成する。また、この通路壁を構成する位置では、第１ケースレール部１７４及び第２ケースレール部１７５は湾曲しており、切換片１８１は上記通路壁における底部側を構成している。ちなみに、押圧部１８３により押圧されて切換片１８１が第１ケースレール部１７４及び第２ケースレール部１７５の通路壁を構成している状態が、払出誘導状態に相当する。切換片１８１が払出誘導状態である場合には、切換片１８１よりも上流側の遊技球は、第１ケースレール部１７４及び第２ケースレール部１７５をそのまま流下していく。
【００７３】
一方、切換操作片１８２を、図１４の二点鎖線で示すように、押圧解除位置に配置した場合には、押圧部１８３による切換片１８１の押圧状態が解除される。これにより、切換片１８１は自重により回動し、第１ケースレール部１７４及び第２ケースレール部１７５の通路壁を構成しない状態となる。ちなみに、押圧部１８３による押圧が解除されて切換片１８１が第１ケースレール部１７４及び第２ケースレール部１７５の通路壁を構成していない状態が、排出誘導状態に相当する。切換片１８１が排出誘導状態である場合には、切換片１８１よりも上流側の遊技球は、上側排出通路部１７８側に流れていく。切換操作片１８２は通常、切換片１８１が払出誘導状態となる位置に配置されており、パチンコ機１０内部の遊技球を抜き出す場合に、切換片１８１が排出誘導状態となるように切換配置される。
【００７４】
上側ユニット１６１は、タンク１３２の球無状態を検知するための球無検知センサ１８６を備えている。球無検知センサ１８６は、第１ケースレール部１７４及び第２ケースレール部１７５における切換片１８１よりも上流側において遊技球を検知するように設けられており、第１ケースレール部１７４及び第２ケースレール部１７５のそれぞれに対応させて検知部１８７ａ，１８７ｂを備えている。なお、本パチンコ機１０では、球無検知センサ１８６として、検知部１８７ａ，１８７ｂに設けられた突出片が遊技球に押圧されていない場合に球無検知信号を出力するセンサが用いられているが、どのようなセンサを用いるかは任意である。球無検知センサ１８６の検知結果は払出制御装置１４６に出力され、払出制御装置１４６では球無検知センサ１８６の検知結果に基づいて球無状態か否かの特定を行う。
【００７５】
次に、払出装置１３５について説明する。図１５は払出装置１３５の分解斜視図である。なお、当該払出装置１３５の説明では、図１２〜図１４を適宜参照する。
【００７６】
払出装置１３５は、図１２及び図１３に示すように、下側ユニット１６２の上部に組み付けられている。払出装置１３５は、複数の部材が組み合わされてなるハウジング１９１を備えており、ハウジング１９１内には遊技球通路１９２が形成されている（図１４参照）。遊技球通路１９２は、誘導通路部の一部を構成している。
【００７７】
遊技球通路１９２は、一対の入口側通路部１９３ａ，１９３ｂと、単一の出口側通路部１９４とを備えている。入口側通路部１９３ａ，１９３ｂは前後に並設されており、いずれもハウジング１９１の上面にて開放されている。これら入口側通路部１９３ａ，１９３ｂのうち、一方が第１ケースレール部１７４と連通しており、他方が第２ケースレール部１７５と連通している。入口側通路部１９３ａ，１９３ｂは、その最下流部にて出口側通路部１９４に合流している。出口側通路部１９４は、ハウジング１９１の下面にて開放されている。
【００７８】
払出装置１３５には、入口側通路部１９３ａ，１９３ｂから出口側通路部１９４へ流れる遊技球を入口側通路部１９３ａ，１９３ｂ側にて一旦停止させるための球止め手段として、回転体１９５が設けられている。回転体１９５は、図１５に示すように、各入口側通路部１９３ａ，１９３ｂに対応させて一対の球誘導板１９６，１９７を備えており、各球誘導板１９６，１９７が対応する入口側通路部１９３ａ，１９３ｂの下流部に収容されるようにして回転体１９５が配置されている。回転体１９５はその中心が払出モータ１９８の出力軸１９８ａ（図１４参照）に固定されている。
【００７９】
払出モータ１９８は、ステッピングモータにより構成されており、出力軸１９８ａは所定方向に回転駆動される。これにより、回転体１９５は、その所定方向に回転し、それに伴って各球誘導板１９６，１９７が各入口側通路部１９３ａ，１９３ｂ内にて回転する。出力軸１９８ａは、１パルスの駆動信号を与えることにより１ｓｔｅｐ進み、３６０パルスの駆動信号を与えることにより１回転するように設定されている。なお、払出モータ１９８はハウジング１９１内に収容されている。
【００８０】
各球誘導板１９６，１９７の周縁には、１８０°間隔で２箇所に、凹部１９６ａ，１９７ａが形成されている。但し、一対の入口側通路部１９３ａ，１９３ｂ間では、凹部１９６ａ，１９７ａの位置が相互に９０°ずらして形成されている。回転体１９５が回転していない場合には、一対の入口側通路部１９３ａ，１９３ｂの両方において遊技球の流下が一旦停止される。また、回転体１９５が回転している場合には、凹部１９６ａ，１９７ａ上に入り込んだ遊技球のみが出口側通路部１９４に導出される。
【００８１】
出口側通路部１９４には、図１５に示すように、略平板状をした払出検知センサ１９９が設置されている。払出検知センサ１９９は、周知の磁気検知タイプの近接センサにて構成されており、貫通孔を遊技球が通過したことによる磁界の変化を電気信号に変換して出力する。この払出検知センサ１９９により、払出装置１３５を介して払い出された遊技球の数が確認できるようになっている。
【００８２】
次に、下側ユニット１６２について説明する。
下側ユニット１６２は、図１２に示すように、一対のハウジング部材２０１，２０２を備えており、両ハウジング部材２０１，２０２が前後に組み付けられて、上下方向に延びる払出通路部２０３が内部に形成されている。払出通路部２０３は、誘導通路部の一部を構成している。払出通路部２０３は払出装置１３５の出口側通路部１９４に連通されており、払出装置１３５から払い出された遊技球は払出通路部２０３を通過する。払出通路部２０３の下流側には仕切壁２０４が形成されており、払出通路部２０３は下流側にて２列に分岐している。これら２列の通路のうち、一方により遊技球が上皿９５ａへ誘導され、他方により遊技球が下皿９６ａへ誘導される。この誘導の様子については、後に説明する。
【００８３】
下側ユニット１６２には、払出通路部２０３以外にも下側排出通路部２０５が形成されている。下側排出通路部２０５は上下方向に延びており、払出通路部２０３よりもパチンコ機１０外側に位置している。また、払出通路部２０３よりも上方に延長させて形成されており、上側ユニット１６１の上側排出通路部１７８に連通している。これにより、上側排出通路部１７８へ誘導された遊技球は、下側排出通路部２０５を通過することとなる。
【００８４】
下側ユニット１６２には、既に説明した裏パック基板１３６が搭載されている。ここで、裏パック基板１３６には、図１２に示すように、球抜きボタン２０６が設けられている。本パチンコ機１０では、上記のとおり球無検知センサ１８６が設けられており、球無検知センサ１８６にて球無状態が検知されている状況では払出装置１３５の払出動作が停止される。この場合に、球抜きボタン２０６が操作されることにより、上記動作停止状態が解除され、払出装置１３５の払出動作が可能となる。
【００８５】
以上のとおり、上下通路ユニット１３４には、上側ユニット１６１の第１ケースレール
部１７４及び第２ケースレール部１７５と、払出装置１３５の遊技球通路１９２と、下側ユニット１６２の払出通路部２０３とが設けられている。そして、タンクレール１３３から流下してきた遊技球は、払出の際に、これら通路部（１７４，１７５，１９２，２０３）を通じて、基本的には上皿９５ａに向けて誘導され、上皿９５ａに一定量以上の遊技球が貯留されている場合には下皿９６ａに向けて誘導される。また、上下通路ユニット１３４には、上側ユニット１６１の上側排出通路部１７８と、下側ユニット１６２の下側排出通路部２０５とが設けられている。そして、切換操作片１８２を操作して切換片１８１を排出誘導状態とすることにより、切換片１８１よりも上流側にある遊技球が、これら上側排出通路部１７８及び下側排出通路部２０５を通じてパチンコ機１０外の島設備に向けて誘導される。
【００８６】
＜上下通路ユニット１３４よりも下流側の通路構成＞
次に、上下通路ユニット１３４よりも下流側の通路構成について説明する。図１６は遊技球の通路構成を説明するための説明図である。なお、図１６においては、便宜上、遊技機ベースユニット２２側及び裏パックユニット２４側の通路構成について断面で示す。
【００８７】
裏パックユニット２４において、上下通路ユニット１３４の下流側には球受け部２５２が設けられており、上下通路ユニット１３４を通過した遊技球は球受け部２５２に導入される。球受け部２５２は、上下通路ユニット１３４を通過した遊技球を上皿９５ａ側若しくは下皿９６ａ側、又は第２裏パックユニット１４１の排出通路１４４に導く機能を有する。
【００８８】
球受け部２５２の構成を、図１７に示す球受け部２５２周辺の縦断面図を参照しながら説明する。球受け部２５２は上方及び前方に開放しており、その内部が２つの仕切壁２５３ａ，２５３ｂによって仕切られることで３つの開口部２５５ａ，２５５ｂ，２５５ｃが左右方向に並設されている。
【００８９】
これら開口部２５５ａ，２５５ｂ，２５５ｃのうち、パチンコ機１０内側の開口部２５５ａは、払出通路部２０３における仕切壁２０４により仕切られた２列の通路のうち、パチンコ機１０内側の通路の下方に位置しているとともに、上皿９５ａへ続く上皿通路に通じている。また、中央の開口部２５５ｂは、払出通路部２０３における仕切壁２０４により仕切られた２列の通路のうち、パチンコ機１０外側の通路の下方に位置しているとともに、下皿９６ａへ続く下皿通路に通じている。また、外側の開口部２５５ｃは、下側排出通路部２０５の下方に位置しているとともに、第２裏パックユニット１４１の排出通路１４４に通じている。
【００９０】
上皿通路は、裏パックユニット２４に設けられた裏パック側上皿通路部２５８と、遊技機ベースユニット２２に設けられた本体側上皿通路部２６２と、遊技機前面ユニット２３に設けられた前面側上皿通路部２７２とから構成されている。同様に、下皿通路は、裏パックユニット２４に設けられた裏パック側下皿通路部２５９と、遊技機ベースユニット２２に設けられた本体側下皿通路部２６３と、遊技機前面ユニット２３に設けられた前面側下皿通路部２７３（図２０参照）とから構成されている。
【００９１】
これら各通路部２５８，２５９，２６２，２６３，２７２，２７３について詳細に説明する。
【００９２】
＜裏パック側通路部２５８，２５９＞
裏パック側上皿通路部２５８及び裏パック側下皿通路部２５９は、裏パックユニット２４の回動基端側においてベース部１２６を前後方向に貫通するようにして設けられた裏パック側通路ユニット２５７に形成されている（図１６参照）。裏パック側上皿通路部２５８及び裏パック側下皿通路部２５９は通路壁によって区画され左右方向に並設されている。また、裏パック側上皿通路部２５８及び裏パック側下皿通路部２５９は、それぞれ前後方向に延びており、下流側に向けて下り傾斜となっている。以上の構成において裏パック側上皿通路部２５８及び裏パック側下皿通路部２５９に導入された遊技球は、底部２５８ａ，２５９ａ上を転がった後に本体側上皿通路部２６２及び本体側下皿通路部２６３のそれぞれに排出される。
【００９３】
＜本体側通路部２６２，２６３＞
本体側上皿通路部２６２及び本体側下皿通路部２６３は、遊技機ベースユニット２２の回動基端側において樹脂ベース４１を前後方向に貫通するようにして設けられた本体側通路ユニット２６１に形成されている。
【００９４】
本体側上皿通路部２６２及び本体側下皿通路部２６３は、仕切用通路壁２６４によって区画されて左右方向に並設されており、それぞれ球出口２６２ａ，２６３ａが下方を向くようにして形成されている。詳細には、本体側上皿通路部２６２及び本体側下皿通路部２６３の上流側は下流側に向けて下り傾斜となっており、その下流側では若干下方に延出させて球出口２６２ａ，２６３ａが形成されている。以上の構成において本体側上皿通路部２６２及び本体側下皿通路部２６３に導入された遊技球は、底部２６２ｂ，２６３ｂ上を転がり球出口２６２ａ，２６３ａを介して前面側上皿通路部２７２及び前面側下皿通路部２７３のそれぞれに排出される。
【００９５】
＜前面側通路部２７２，２７３＞
前面側上皿通路部２７２及び前面側下皿通路部２７３は、遊技機前面ユニット２３の背面に設けられた前面側通路ユニット２７１に形成されている。ここで、前面側通路ユニット２７１について図１８〜図２０を用いて説明する。図１８は前面側通路ユニット２７１の斜視図である。図１９は前面側通路ユニット２７１の分解斜視図である。図２０は前面側通路ユニット２７１の正面図である。
【００９６】
前面側通路ユニット２７１は、図１９に示すように一対のベース板２７４ａ，２７４ｂを有している。これらベース板２７４ａ，２７４ｂはポリカーボネート樹脂などといった透明性を有する合成樹脂材料により形成されており、それぞれ溝部や開口部が形成されている。両ベース板２７４ａ，２７４ｂがネジ固定されていることで、前面側上皿通路部２７２を構成する受口部２７５、前面側下皿通路部２７３を構成する通路形成部２７６、ファール球用下皿通路部２８０を構成するファール球用開口部２８１などが形成されている。なお、前面側通路ユニット２７１は受口部２７５及び通路形成部２７６の他に板状部２７１ａを有している。この前面側通路ユニット２７１は、前面側上皿通路部２７２の出口２７２ａが上皿９５ａの球入口と前後に重なり、前面側下皿通路部２７３の出口２７３ａが下皿９６ａの球入口と前後に重なるようにして、遊技機前面ユニット２３の背面に対してパチンコ機１０後方からネジ固定されている。
【００９７】
前面側通路ユニット２７１の受口部２７５及び通路形成部２７６について説明する。受口部２７５が形成された位置は前面側通路ユニット２７１において上側隅部であり、遊技機前面ユニット２３との関係では当該遊技機前面ユニット２３の回動基端側となっている。また、受口部２７５は、通路形成部２７６よりもパチンコ機１０の後方に突出しており、さらには遊技機前面ユニット２３の回動軸よりもパチンコ機１０の後方にある。そして、遊技機前面ユニット２３を閉鎖した状態において、受口部２７５は遊技機ベースユニット２２の前側端部よりも後側に入り込んでいる。
【００９８】
但し、受口部２７５は遊技機ベースユニット２２の後側端部よりも前側にあり、遊技機ベースユニット２２（樹脂ベース４１）には受口部２７５と対峙する位置に、当該受口部２７５の突出側をカバーするカバー部としての収容凹部２９２ｂが形成されている（図１６参照）。よって、遊技機前面ユニット２３を閉鎖した状態において受口部２７５は遊技機ベースユニット２２を前後方向に貫通していない。
【００９９】
受口部２７５は図１８等に示すように上方に開放されており、その左右方向の略中央には底部から上方に起立した仕切壁２７７が一体形成されている。この仕切壁２７７に仕切られることで、受口部２７５には２つの開口部２７８，２７９が左右方向に並設されている。かかる構成において、受口部２７５におけるパチンコ機１０内側の側壁はパチンコ機１０後側などに比べ背が高くなっており、当該側壁には庇部２７５ａが形成されている。この庇部２７５ｂが形成されていることにより、上記２つの開口部２７８，２７９のうちパチンコ機１０内側の開口部２７８はパチンコ機１０外側の開口部２７９よりも幅寸法（左右方向寸法）が小さくなっている。
【０１００】
パチンコ機１０内側の開口部２７８は、本体側上皿通路部２６２の球出口２６２ａと上下に対峙しており、図２０等に示すように、前面側上皿通路部２７２の球入口となっている。また、パチンコ機１０外側の開口部２７９は、本体側下皿通路部２６３の球出口２６３ａと上下に対峙しており、通路形成部２７６に形成される前面側下皿通路部２７３の球入口となっている。この場合に、上記のとおり、受口部２７５は遊技機ベースユニット２２の前側端部よりも後側に入り込んでいるため、前面側上皿通路部２７２と本体側上皿通路部２６２との境界部分、及び前面側下皿通路部２７３と本体側下皿通路部２６３との境界部分は、その一部が遊技機ベースユニット２２の前側端部よりも後側に入り込んでいる（図１６等参照）。
【０１０１】
内側開口部２７８と上皿９５ａの球入口１９６とは前後に並んでおり、前面側上皿通路部２７２はそれら内側開口部２７８と球入口１９６とを繋ぐように前後方向に延びている。外側開口部２７９と下皿９６ａの球入口とは左右方向及び上下方向にずれた位置関係となっている。つまり、外側開口部２７９が遊技機前面ユニット２３の回動基端側にあり、下皿９６ａの球入口は遊技機前面ユニット２３の左右方向の中央付近にある。また、外側開口部２７９に対して下皿９６ａの球入口は下方にある。これら外側開口部２７９と下皿９６ａの球入口とを繋ぐように、前面側下皿通路部２７３が形成されている。
【０１０２】
次に、上皿９５ａ及び下皿９６ａへの遊技球の流れについて説明する。
図１７に示すように払出装置１３５からは球受け部２５２における内側の開口部２５５ａに向けて遊技球が払い出される。よって、払出装置１３５から払い出された遊技球は各上皿通路部２５８，２６２，２７２によって構成される上皿通路を通って上皿９５ａに排出される。
【０１０３】
但し、払出装置１３５から多数の遊技球が払い出され上皿９５ａが満杯状態となり、さらにその後も遊技球の払い出しが継続されると、上皿通路にて遊技球が連なり、図１７に示すように、球受け部２５２における内側の開口部２５５ａの全体に遊技球が充たされるとともに、上下通路ユニット１３４の払出通路部２０３における仕切壁２０４の先端の位置まで遊技球が充たされることとなる。かかる状態において払出装置１３５から払い出された遊技球は払出通路部２０３の仕切壁２０４を乗り越え中央の開口部２５５ｂ内に入る。そして、この遊技球は各下皿通路部２５９，２６３，２７３によって構成される下皿通路を通って下皿９６ａに排出される。
【０１０４】
なお、ファール球用下皿通路部２８０は、図１９に示すように、前面側下皿通路部２７３の下端部と連通している。上述したように、ファール球回収口１５０に回収されたファール球は、前面側通路ユニット２７１のファール球用下皿通路部２８０から前面側下皿通路部２７３の下端部、出口２７３ａを通り、下皿９６ａに返却される。
【０１０５】
本実施の形態では上述したように遊技機前面ユニット２３に対して前面側通路ユニット２７１が設けられている。また、遊技機前面ユニット２３には上述したように窓パネル部９１が設けられており、例えば遊技領域６１ａにて球詰まり等が発生しそれを解消するために遊技機前面ユニット２３を開放すると、それに合わせて前面側通路ユニット２７１が前方に移動し、遊技機前面ユニット２３側の各通路部２７２，２７３と遊技機ベースユニット２２側の各通路部２６２，２６３とが離間される。そして、この遊技機前面ユニット２３の開放操作が、上皿９５ａや下皿９６ａが満杯状態であり本体側上皿通路部２６２や本体側下皿通路部２６３にて遊技球が待機されている状態において行われると、その待機されている遊技球が前面側上皿通路部２７２や前面側下皿通路部２７３にて受けられなくなり散乱してしまうおそれがある。これに対して、この遊技球の散乱を防止するためにシャッタ機構２９１（図１６参照）が設けられているが、その詳細については省略する。
【０１０６】
＜ファール球入賞口４０１＞
次にファール球入賞口４０１について詳細に説明する。図２１は、ファール球入賞口４０１を説明するための説明図であり、（ａ）は正面図、（ｂ）は右斜め上方から視認した斜視図、（ｃ）は平面図である。なお、便宜上、図２１（ａ）においては、ファール球入賞口４０１の装飾部４２３を、（ｂ）及び（ｃ）においては左遊技釘４４０及び右遊技釘４５０を省略している。
本遊技機１０の外誘導レール部７８ａには、遊技球発射機構８０側である下端側に分断部７８ｂが形成されている（図１５参照）。なお、以下、発射球誘導通路６１ｐ、内誘導レール部７７ａ及び外誘導レール部７８ａにおいて、遊技球発射機構８０が設置されている側を遊技球発射機構側又は下端側、遊技領域６１ａに通ずる側を遊技領域側又は上端側という。
【０１０７】
正面視略Ｃ字状の外誘導レール部７８ａは、図６及び図２１に示すように、下端側に形成された分断部７８ｂにより分断されており、上側外誘導レール部７８ａ１と下側外誘導レール部７８ａ２の２つ部材からなる。分断部７８ｂは、遊技球Ｂが遊技領域６１ａ内に到達可能な最低の打出強度（以下、到達最低強度という）で発射された際に、遊技球Ｂが当たる位置（以下、到達可能最下位置Ｌという）よりも遊技球発射機構側（下端側）に設けられている。具体的には、分断部７８ｂは、図２１に示すように、遊技球発射機構８０の発射レール８２１の延長線よりも下側に設けられ、下側外誘導レール部７８ａ２の略下端に到達可能最下位置Ｌが位置している。
【０１０８】
分断部７８ｂの中央下方には、発射球誘導通路６１ｐ内のファール球が流入可能なファール球入賞口４０１が設けられており、正面視において、このファール球入賞口４０１の左右には、それぞれファール球の移動速度を減ずるための左側減速部４４０及び右側減速部４５０が設けられている。
ファール球入賞口４０１は、入球（入賞）したファール球を遊技盤６１の背面側に案内し、遊技機１０外部に排出するためのものであり、遊技盤６１を前後方向に貫通する孔であるファール球用貫通孔４１０と、ファール球用貫通孔４１０の前面側に取り付けられる本体部４２０とからなる。本体部４２０は、受け部４２１と、装飾部４２３と、受け部４２１及び装飾部４２３を遊技盤６１に取り付けるための取付部４２５とからなる。
【０１０９】
受け部４２１は正面視略Ｕ字の樋状であり、装飾部４２３は受け部４２１の前面側を覆う板状部であり前面に装飾が施されている。これらは、取付部４２５を介してネジなどの取付部材（図示せず）により、遊技盤６１面より前方（遊技者側）に突出するように取り付けられる。受け部４２１の上面側には、遊技球発射機構８０から到達最低強度よりも弱い強度で打ち出されたファール球が、発射球誘導通路６１ｐの下側外誘導レール部７８ａ２から直接、又は、発射球誘導通路６１ｐの上側外誘導レール部７８ａ１を逆流して、開口部４２１ａから入球する。受け部４２１の背面側は遊技盤６１のファール球用貫通孔４１０に連通する排出口４２１ｂとなっており、受け部４２１の底面には、入球したファール球を奥行き方向（遊技盤６１の背面側）に移動させるために後方に向けて下方へ傾斜するように形成された凸部４２１ｃが設けられている。
【０１１０】
遊技盤６１の背面側には、受け部４２１と対向するように、ファール球排出樋４８０が設けられている。上述したように、遊技球回収機構のファール球排出樋４８０は、ファール球入賞口４０１の排出口４２１ｂ及びファール球用貫通孔４１０と連通しており、入賞したファール球を排出通路１４４から遊技機１０の外部に排出する。ファール球排出樋４８０のファール球用貫通孔４１０側である上端部には、ファール球の入球を検知するファール球入賞検知センサ４７０（ファール球入賞検知手段）が設けられている。ファール球入賞検知センサ４７０は、ファール球の入賞を検知すると、検出信号を主制御装置１０７（後述する主制御基板３１１）に出力する。つまり、ファール球入賞検知センサ４７０と主制御装置１０７とは電気的に接続されるが、上述したように、主制御装置１０７は主制御装置ユニット１０５に搭載され、ファール球入賞検知センサ４７０は遊技盤６１と主制御装置ユニット１０５との間の集合板ユニットの中に設けられているので、短いハーネスで容易に接続することができ、スペースを取らない。簡単な構成となるので、製造時の組み立ても容易で経済的である。また、ファール球入賞口４０１は、発射球誘導通路６１ｐの途中位置の下方に設けられ、ファール球を早期に発射球誘導通路６１ｐ内から退けることができるので、次に発射される遊技球と衝突する可能性を減ずることができる。
【０１１１】
なお、本遊技機１０においては、ファール球入賞口４０１が装飾部４２３を有する構成となっているが、必ずしも装飾部４２３を必要とせず、発射球誘導通路６１ｐと同様に受け部４２１の前面側を窓パネル部９１により覆う構成としてもよい。また、本遊技機１０の窓孔５１及び窓パネル部９１を大きくして、遊技盤６１下部におけるファール球の動きやファール球入賞口４０１が、遊技者から視認しやすくすることも望ましい。
【０１１２】
ここで、図６及び図２１（ａ）に示すように、ファール球入賞口４０１の受け部４２１の左上端部の左方及び右上端部の右方には、図２１に示すように、左側減速部４４０及び右側減速部４５０が設けられている。
左側減速部４４０は２本の左遊技釘４４１，４４２からなり、上側外誘導レール部７８ａ１の下端と受け部４２１の左上端部との間を埋めるように遊技盤６１に植設されている。これらの左遊技釘４４１，４４２は、左側が上方となるように斜めに傾斜した直線上にあり、その傾きは、上側外誘導レール部７８ａ１の下端の接線の傾きよりも大きくなるように配設されている。例えば、正面視において、左遊技釘４４１と左遊技釘４４２とを結ぶ直線と、上側外誘導レール部７８ａ１の下端の接線とがなす角度は、１０度〜５０度となるように設けられている。
右側減速部４５０も２本の右遊技釘４５１，４５２からなり、受け部４２１の右上端部と下側外誘導レール部７８ａ２の上端との間を埋めるように遊技盤６１に植設されている。これらの右遊技釘４５１，４５２は、左側が上方となるように斜めに傾斜した直線上にあり、その傾きは、下側外誘導レール部７８ａ２の上端の接線の傾きよりも僅かに大きくなるように配設されている。例えば、正面視において、右遊技釘４５１と右遊技釘４５２とを結ぶ直線と、下側外誘導レール部７８ａ２の上端の接線とがなす角度は、１度〜２０度となるように設けられている。
【０１１３】
到達最低強度よりも弱い強度で打ち出された遊技球は、外誘導レール部７８ａにおいて、到達可能最下位置Ｌよりも下端側に当たり、発射球誘導通路６１ｐの上端側へ移動した後、下端側へ移動（逆流）するファール球となる。ここで、ファール球は、右側減速部４５０や左側減速部４４０に接触することにより、その移動の勢い（移動速度）が弱められる。具体的には、右側減速部４５０及び左側減速部４４０は、上端側に移動する遊技球の勢いを弱め、その移動距離を短くしてファール球入賞口４０１への入球を早めることができる。また、左側減速部４４０によれば、上側外誘導レール部７８ａ１上を下端側に移動する遊技球の勢いを弱めて、ファール球入賞口４０１に入球しやすくすることができる。なお、左側減速部４４０である２つの左遊技釘４４１と左遊技釘４４２を結ぶ直線の傾きは、発射された遊技球が当たっても遊技球発射機構８０側に跳ね返ってしまうことのないような角度に設けられている。また、受け部４２１の右上端部は、この直線の延長線よりも上方へ突出するように設けられ、逆流してくるファール球をファール球入賞口４０１へ導くように設けられている。右側減速部４５０は、下側外誘導レール部７８ａ２に当たり上端側へ移動する遊技球を、その勢いを弱めすぎることなくファール球入賞口４０１へ導くように設けられている。なお、左側減速部４４０及び右側減速部４５０は遊技釘であるので、必要に応じてその傾きの調節も可能である。
【０１１４】
本実施例では、左側減速部４４０及び右側減速部４５０は、遊技盤６１に植設した遊技釘により構成しているが、移動するファール球の運動エネルギーを減ずることができれば、これに限らない。本遊技機１０では、従来のファール球回収口１５０を備えたままの構成として、ファール球入賞口４０１に入球しなかったファール球を回収すると共に、遊技終了時などに遊技球発射機構８０内にある遊技球をこのファール球回収口１５０から下皿９６ａに返却できるようにしておくことにより、遊技者による遊技球の回収が容易になるように構成している。
【０１１５】
＜ファール球入賞口４０１の変形例＞
次に、ファール球入賞口４０１の変形例について、図面を参照して説明する。なお、上述した実施例と同様の構成等については同様の符号、名称を付す等して重複する説明は省略する。
図２２は、ファール球入賞口４０１の変形例であるファール球入賞口４０１ｘを説明するための正面図である。図２１に示すように、実施例においては、誘導レール部７８ａの分断部７８ｂに、ファール球入賞口４０１等を別部材として設けているが、本変形例においては、ファール球入賞口４０１の受け部４２１及び左側減速部４４０を、上側外誘導レール部７８ａ１及び下側外誘導レール部７８ａ２と一体的に外誘導レール部７８ｘとして設けたものである。なお、外誘導レール部７８ｘには、ファール球入賞口４０１の装飾部４２３及び右側減速部４５０に対応するものは形成されていない。
【０１１６】
外誘導レール部７８ｘには、到達可能最下位置Ｌよりも下端側に、正面視において斜め右下方に突出するようにファール球入賞口４０１ｘの受け部４２１ｘが、この受け部４２１ｘの左側には鋸歯状の左側減速部４４０ｘが形成されている。また、受け部４２１ｘの底面には、遊技球（ファール球）の衝撃を吸収し、かつ、遊技盤６１の背面側へ導く弾力性を有する弾力材４６０が取り付けられている。受け部４２１ｘを右下方に突出するような形状とし、弾力材４６０を設けることで、上端側から逆流するファール球（遊技球）が入球しやすくなるとともに、入球したファール球が跳ね上がるのを防止することができる。なお、受け部４２１ｘは、ファール球が跳ね上がったとしても外誘導レール部７８ｘの下端側（正面視斜め右下方の遊技球発射機構８０側）への移動しないように、正面視右側面ｆが左斜め上方に突出するように設けられている。なお、ファール球入賞口４０１ｘは、本変形例の形状等に限らず、ファール球入賞口４０１ｘが外誘導レール部７８ａと一体となって構成されるものであればよい。一体として設けることにより部材が少なくて済むので、製造コストなどを抑えることができる。
【０１１７】
＜遊技球発射機構８０＞
次に、本発明の特徴的な構成を有する遊技球発射機構８０について説明する。以下の説明においては、遊技機の前面に対面した状態を基準として左右、前後、上下の方向を表す。
図２３は、遊技球発射機構８０の正面図である。図２４は、遊技球発射機構８０の保護部材８１５９を開いた状態を示す正面図である。図２５は、遊技球発射機構８０を左斜め上方から視認した斜視図である。図２６は、遊技球発射機構８０を部分的に分解した状態を右斜め上方から視認した部分分解斜視図である。図２７は、遊技球発射機構８０のうち、支持板８の上側に支持される構成（球送り機構８３、位置決め部８５、発射レール部８２）を分解した状態を右斜め上方から視認した分解斜視図である。図２８は、遊技球発射機構８０のうち、支持板８の下側に支持される構成（発射装置８１、下カバー部８６）を分解した状態を右斜め上方から視認した分解斜視図である。なお、便宜上、これらの図面においては球送り機構８３はその一部の構成（台座部８３１）のみを図示し、図２３〜図２６においては、下カバー部８６を省略している。また、図２３においては、発射杵８１１１について、動作せず待機位置にある状態を実線で、打球動作により打球位置まで回転した状態を二点鎖線で表わしている。ここで、待機位置とは、発射杵８１１１が時計回りに回転した際に後述する戻り動作規制部８１５２によりその回転が妨げられて止まる位置をいい、打球位置とは、発射杵８１１１が反時計回りに回転した際に後述する打球動作規制部８１５１によりその回転が妨げられて止まる位置をいう。
【０１１８】
図２３〜図２８に示すように、遊技機発射機構８０は、発射球誘導通路６１ｐに向けて延びる発射レール部８２と、上皿９５ａに貯留された遊技球を１球ずつ取り込み発射レール部８２の発射レール８２１上へ送り込む球送り機構８３と、送り込まれた遊技球を発射レール８２１上の所定の位置（発射直前の停止位置、適宜、発射位置という）に留め置く位置決め部８５と、発射位置に留め置かれた遊技球Ｂ（図２３参照）を遊技領域に打ち込む発射杵８１１１を有する発射装置８１と、発射装置８１の前面下側を覆うようにカバーする下カバー部８６（図２８参照）と、これら（発射装置８１、発射レール部８２、球送り機構８３、位置決め部８５、下カバー部８６）を支持する支持板８とからなる。
【０１１９】
＜支持板８＞
支持板８は、図２６〜図２８等に示すように、発射装置８１、発射レール部８２、球送り機構８３、位置決め部８５及び下カバー部８６をそれぞれ所定の位置に支持するベース部材であり、上述した遊技機ベースユニット（本体枠又は内枠）２２の前面側右下部に固定される（図２参照）。支持板８は、略矩形状の樹脂製の板状部材からなり、発射装置８１、発射レール部８２、球送り機構８３、位置決め部８５及び下カバー部８６を取り付けるための貫通孔ａ，ｈ，ｃ，ｄ，ｅ，ｆ，ｇと、後述する球送り装置８３の流入口８３１ｇと連通する連通孔８ａと、後述する発射装置８１のロータリーソレノイド８１１のコイル８１１２ａの裏面側が嵌め入れられる嵌入孔８ｂと、後述する発射装置８１の発射杵８１１の杵回動軸８１１４を係止する係止孔８ｃと、後述するストッパー部材（打球動作規制部材８１５１ａ，戻り動作規制部材８１５２ａ）を支持する支持軸８１５１ｂ（図２８参照），８１５２ｂを取り付ける支持孔８１，８２と、軸ねじ８１６０を取り付ける支持軸８３が設けられている。
【０１２０】
＜球送り機構８３＞
球送り機構８３は、上皿９５ａ（図１参照）内の遊技球を、１球ずつ、発射レール８２１上に送り込むものである。図２３〜図２７には、支持板８に取り付けられる台座部８３１のみが示されているが、球送り機構８３は、これ以外に、図２３〜図２７には便宜上図示していない開閉部８３２（図５参照）及び球送り部材（図示せず）を有する。開閉部８３２は、透明又は半透明の樹脂製の扉状の部材であり、後述する台座部８３１、発射装置８１の上部、発射レール部８２及び位置決め部８５の前面側を覆うように、台座部８３１（後述する軸部８３１ｃ）に開閉可能に枢支される部材である。この開閉部８３２と台座部８３１とで、電磁石（球送りソレノイド）や送出片などからなる球送り部材を内蔵するケース部材を構成している。
【０１２１】
球送り機構８３の台座部８３１は、図２４に示すように、正面視略矩形状の透明又は半透明の樹脂製の支持部材であり、図２６に示すように、右下部分には後述する発射装置８１の回動規制機構８１５を取り付けるための切欠部８３１ａが設けられている。また、図２３や図２７に示すように、台座部８３１の右端の中央部には１つのねじ孔a１が、左側下端部には前方に突出する円柱状の２つのボス８３１ｂにそれぞれ設けられたボス孔ｈ１が、中央部右側には２つのねじ孔ｃ１（図２３参照）と１つ位置調節ピン挿通孔ｄ１（図２３参照）が形成されている。台座部８３１は、ねじ孔ａ１、ボス孔ｈ１、ねじ孔ｃ１、位置調節ピン挿通孔ｄ１にそれぞれ挿通したねじＡ、ねじＨ、ねじＣ、位置調節ピンＤを、貫通孔a、貫通孔ｈ、貫通孔ｃ、貫通孔ｄにそれぞれ螺合させることなどにより、支持板８の前面上部に固定される。なお、２つのボス８３１ｂは、左側のボス８３１ｂが上方となるように所定の傾斜の直線上に並んで設けられている。
【０１２２】
図２７に示すように、台座部８３１の右端部には、上下に２つの軸部８３１ｃが形成されており、当該軸部８３１ｃに、開閉部８３２の軸受部（図示せず）が着脱可能に取り付けられる。開閉部８３２には遊技球を１列に連なるように整列させる整列路Ｒ（図５参照）が形成されている。球送り部材（図示せず）は、この列の先頭の遊技球から１球ずつ取り込んで、台座部８３１の上側に整列路Ｒと連通するように形成された連通路８３１ｄを通して、遊技球を発射レール８２１上に転落させる。転落した遊技球は、発射レール８２１の前方を覆う開閉部８３２により前方へ落下することなく、基端側（発射杵８１１１側）の発射位置へ転がる。なお、遊技球の発射レール８２１上への供給動作と、後述する発射装置８１（発射杵８１１１）の回動動作は、発射制御装置１４７により、一定の条件の下交互に行われるように制御される。
【０１２３】
台座部８３１には、図２６及び図２７に示すように、左側のボス８３１ｂの左上方には前方に突出する突部８３１ｅが、右側のボス８３１ｂの右下方には前方に突出するトレー部８３１ｆが形成されており、発射レール８２１がこれらの間に嵌め込むようにして取り付けられる。突部８３１ｅは正面視略台形の柱状部であり、２つのボス８３１ｂよりも若干大きく前方に突出するように形成されている。また、トレー部８３１ｅは平面視略四角形の板状部であり、２つのボス８３１ｂよりも大きく前方に突出するように形成されている。
【０１２４】
図２７に示すように、略四角形のトレー部８３１ｆには、後方に向かい徐々に下方に傾斜する上面８３１ｆ１と、後辺部分を除いた周縁部に上方に突出するコの字形状の周壁部８３１ｆ２が形成されている。また、台座部８３１には、トレー部８３１ｆの上面８３１ｆ１及び周壁部８３１ｆ２の内側面を後方に延長するようにして、貫通孔である流入口８３１ｇが形成されている。よって、トレー部８３１ｆ上に落ちた液体は、その縁からこぼれることなく、後方の流入口８３１ｇへ流れ込み、上述した支持板８の連通孔８ａを通して遊技機１０外部へ排出される。
【０１２５】
＜発射レール部８２＞
発射レール部８２は、図２３に示すように、後述する位置決め部８５とともに、球送り機構８３により装填された遊技球Ｂを発射位置に留め置くとともに、発射装置８１より発射された遊技球Ｂを発射球誘導通路６１ｐ内に導き、遊技領域６１ａへ案内するためのものである。発射レール部８２は、図２７に示すように、断面略Ｍ字の金属製のレール部材である発射レール８２１を有し、発射レール８２１は、遊技球が転がるレール部８２１ａと、これを支持するレール支持部８２１ｂとからなる。レール部８２１ａは、横断面がＶ字状であり、発射された遊技球の勢いを殺ぐことのないように、直線状に延びるように形成されている。レール支持部８２１ｂはレール部８２１ａの両端縁それぞれを下方に延ばすように形成されており、２つの取付孔ｈ２が形成されている。また、正面視において、レール支持部８２１ｂの左端部（先端側の端部）は台座部８３１の突部８３１ｅの右側面に沿うように形成されており、レール支持部８２１ｂの右端部（基端側の端部）はその下側が台座部８３１のトレー部８３１ｆの左側面及び上面左側に沿うように切り欠かれている。
【０１２６】
発射レール８２１は、遊技球を所定の発射角度（打ち出し角度）で放出するために、図２５等に示すように、その延設方向が所定の傾斜角度となるように配設される。具体的には、図２７に示すように、２つの取付孔ｈ２に球送り機構８３の台座部８３１の２つのボス８３１ｂを挿通し、前面側からねじＨをボス孔ｈ１及び貫通孔ｈに螺合することにより、球送り機構８３の台座部８３１及び支持板８に斜めに傾いた状態で固定される。発射レール８２１の基端側（右下端側）の発射位置に装填された遊技球は、発射装置８１により発射レール８２１に沿うように発射されて（詳細は後述）、その先端側（左上端側）から発射球誘導通路６１ｐ内に向かって飛び出す。
【０１２７】
本遊技機１０においては、図２３及び図２５に示すように、発射レール８２１の下方に発射装置８１のロータリーソレノイド８１１が配置される。そして、これを保護するために発射レール８２１のレール部８２１ａの基端（右端）の下方には、上述した台座部８３１のトレー部８３１ｆが設けられている。遊技者が誤って飲み物をこぼし、その液体が上皿９５ａから遊技球が供給される通路（整列路Ｒ、連通路８３１ｄ）を通り発射レール８２１上に流れてきたとしても、図２６に示すようにトレー部８３１ｆにより集められて、流入口８３１ｇ、連通孔８ａを通り遊技機外部に排出するように構成されている。このような構成とすることにより、発射装置８１（ロータリーソレノイド８１１）が濡れて壊れてしまうことを防ぐことができる。
【０１２８】
＜位置決め部８５＞
位置決め部８５は、図２３及び図２７に示すように、発射レール８２１上に転落して右下方へ転がる遊技球を、その基端部の発射位置に留め置くように位置決めする金属製の位置決め部材８５１を有する。位置決め部材８５１は、遊技球を支持する球支持部８５１ａと、これを所定の箇所に取り付けるための取付部８５１ｂとからなる。球支持部８５１ａは正面視略くの字形の板状部であり、その下部の左側面で発射レール８２１上に装填された遊技球を発射位置に保持する。また、取付部８５１ｂは正面視略逆Ｖ字形の板状部であり、球支持部８５１ａ上部の後端縁から垂直方向に延設されている。取付部８５１ｂには、２つのねじ孔ｃ３及び位置調節ピン挿通孔ｄ３が形成されており、ねじＣ、位置調節ピンＤをそれぞれ挿通し、ねじ孔ｃ１及び貫通孔ｃ、位置調節ピン挿通孔ｄ１及び貫通孔ｄに螺合することにより、球送り機構８３の台座部８３１及び支持板８に固定される。なお、ねじ孔ｃ３及び位置調節ピン挿通孔ｄ３は略楕円形状の貫通孔であり、固定しているねじＣ及び位置調節ピンＤを緩めて位置決め部材８５１の位置を調節した後に再度締めることで、遊技球の発射直前の停止位置（発射位置）を微調整することができるようになっている。
【０１２９】
＜発射装置８１＞
発射装置８１は、発射位置に装填された遊技球を発射球誘導通路６１ｐ内に打ち込むものであり、図２６に示すように、発射杵８１１１及びこれを駆動する杵駆動部８１１２を有する発射部（ロータリーソレノイド）８１１と、発射杵８１１１の動作範囲を規制する回動規制機構８１５とからなる。また、発射装置８１は、図２３に示すように、発射部８１１の杵駆動部８１１２を発射レール部８２１の下端に接するように配置し、回動規制機構８１５の上部（打球動作規制部８１５１や第１保持部８１５６など）を、球送り機構８３内に組み入れるように配置することにより、小型化されている。
【０１３０】
＜発射部８１１＞
発射部８１１は、遊技者の遊技球発射ハンドル８４の操作に基づいて発射制御装置１４７により制御されるロータリーソレノイド８１１であり、このロータリーソレノイド８１１は、図２６に示すように、通電により励磁する杵駆動部８１１２と、杵駆動部８１１２の励磁と消磁により回動する発射杵８１１１と、発射杵８１１１を杵駆動部８１１２に回動可能に軸支する杵回動軸８１１４と、発射杵８１１１の動作を補助するバネ部材８１１３とからなる。発射部８１１（ロータリーソレノイド８１１）は、図２８に示すように、杵駆動部８１１２のコイル８１１２ａの後部を支持板８の嵌入孔８ｂに嵌め入れ、４つのねじＥそれぞれをねじ孔ｅ４及び貫通孔ｅに螺合することにより、支持板８に固定される。また、杵駆動部８１１２の右下端部には回動軸孔８１１２ｂが形成されており、この回動軸孔８１１２ｂと支持板８の係止孔８ｃとに挿着される杵回動軸８１１４によって、発射杵８１１１は回動可能に軸支される。バネ部材８１１３は両端をフック状にした金属製のコイルバネであり、図２４に示すように、その一端側が発射杵８１１１に、他端側が後述する回動規制機構８１５の支持ベース８１５３に取り付けられ、発射杵８１１１は時計周りに回転するように付勢されている。
【０１３１】
＜発射杵８１１１＞
発射杵８１１１は、図２４に示すように、正面視において、Ｔの字を時計回りに１２０度回転させたものを２つ、一方の下端の左側が他方の上端の右側に接するように合わせたような形をした、横断面が略四角形である横杵部材である。発射杵８１１１は、杵回動軸８１１４に基端側が軸支される金属製のアーム部８１１１ａと、発射位置の遊技球を打つための打球部８１１１ｂと、杵駆動部８１１２の励磁・消磁により発射杵８１１１を動作させる金属製のプランジャー部８１１１ｃとからなる。打球部８１１１ｂは略直方体形状の樹脂製の部材であり、本遊技機１０では、ポリエステル系熱可塑性エラストマーが採用されている。図２４に示すように、打球部８１１１ｂには、アーム部８１１１ａに取り付けるためにくり抜くように四角柱状の嵌合凹部ｎが形成されており、打球部８１１１ｂは、この嵌合凹部ｎに、アーム部８１１１ａの上部中央に発射レール８２１側に突出するように形成された四角柱状の嵌合凸部ｍを嵌め入れて、留めピンＰで止めることにより固定される。プランジャー部８１１１ｃは、アーム部８１１１ａの下部中央から杵駆動部８１１２のコイル８１１２ａの内方に突出するように形成されている。なお、打球部８１１１ｂは、アーム部８１１１ａに交換可能に取り付けられている。
【０１３２】
＜発射杵８１１１の動作＞
発射杵８１１１は、図２３に示すように、ロータリーソレノイド８１１の通電により杵駆動部８１１２が励磁し、プランジャー部８１１１ｃがコイル８１１２ａ内に引き込まれて反時計回りに回転して、遊技球を打つ位置（打球位置）まで動作する（以下、打球動作という）。また、ロータリーソレノイド８１１の通電を停止した際には杵駆動部８１１２が消磁し、発射杵８１１１は、バネ部材８１１３の付勢力などにより時計回りに回転し元の位置（待機位置）まで戻るように動作する（以下、戻り動作という）。なお、発射杵８１１１の反時計回りの回転動作（打球動作）の動作範囲は、アーム部８１１１ａの上端部左側面が、ストッパー部材である打球規制部材（第１規制部材）８１５１ａ（詳細は後述）の右側面に当たることより規制され、発射杵８１１１の時計回りの回転動作（戻り動作）の動作範囲は、アーム部８１１１ａの中央部右側面が、ストッパー部材である戻り規制部材（第２規制部材）８１５２ａ（詳細は後述）の側面に当たることにより規制される。
【０１３３】
発射装置８１（発射杵８１１１）は、発射制御装置１４７により一定の条件下において所定時間毎に励磁・消磁が繰り返されて、上述した打球動作と戻り動作を交互に行う。そして、打球動作の際に、発射位置にある遊技球Ｂに打球部８１１１ｂを打ち当てて発射させる。なお、遊技者の遊技球発射ハンドル８４の操作量に基づき、プランジャ部８１１１ｃ（発射杵８１１１）の動作速度が適宜調整され、これにより、遊技球Ｂの発射速度ひいては飛翔量が調整されるようになっている。
【０１３４】
＜回動規制機構８１５＞
回動規制機構８１５は、図２８に示すように、発射杵８１１１の打球動作範囲を規制する打球動作規制部（第１規制部）８１５１と、発射杵８１１１の戻り動作範囲を規制する戻り動作規制部（第２規制部）８１５２と、打球動作規制部８１５１及び戻り動作規制部８１５２を支持する支持ベース部８１５３と、発射杵８１１１と打球動作規制部８１５１と戻り動作規制部８１５２の前方を覆いこれらを保護する保護部８１５８とを備えている。また、保護部８１５８の保護部材８１５９は、図２３及び図２４に示すように、その基端部（右下突出部８１５９ｄ）が支持ベース部８１５３（支持ベース８１５４）の下端部（右下突出支持部８１５４ｄ）に回動可能に支持され、発射杵８１１１等の前面側を開閉可能に保護するように構成されており、回動規制機構８１５は、この保護部材８１５９の先端側を着脱可能に保持する第１保持部８１５６及び第２保持部８１５７を備えている。
【０１３５】
＜支持ベース部８１５３＞
支持ベース部８１５３は、図２８に示すように、正面視略逆くの字形状の金属製の板部材である支持ベース８１５４を有している。支持ベース８１５４は、くの字形状の本体部８１５４ａを延長するように、上端側には左上方向に突出する左上突出支持部８１５４ｂが、下側には右下方向に突出する左下突出支持部８１５４ｄが形成されている。また、本体部８１５４ａの上縁には、右上方向に突出する上突出支持部８１５４ｃが段違いに形成されている。本体部８１５４ａには２つのねじ孔ｆ５が形成されており（図２４参照）、支持ベース８１５４は、２つのねじＦそれぞれをねじ孔ｆ５、貫通孔ｆに螺着することにより、支持板８に固定される。
【０１３６】
支持ベース８１５４の左上突出支持部８１５４ｂは、打球動作規制部８１５１及び第１保持部８１５６を支持するために設けられており、その中央には、打球動作規制部８１５１の支持軸８１５１ｂを支持するための支持孔８１５４１が形成されている。また、左上突出支持部８１５４ｂには、上縁から左縁にかけて前方に突設された枠部ｘが、下縁には前方に垂設された板状の壁部ｙが形成されており、図２５及び図２６に示すように、打球動作規制部８１５１の打球規制部材８１５１ａの後端の周縁の一部と、打球規制部材８１５１ａの一側面をそれぞれ支持するように構成されている。なお、その詳細については、後述する。
【０１３７】
支持ベース８１５４の本体部８１５４ａの下部であり右下突出支持部８１５４ｄの左方には、図２８に示すように、戻り動作規制部８１５２を支持するための支持孔８１５４２が形成されており、戻り動作規制部８１５２の支持軸８１５２ｂを支持する。また、本体部８１５４ａには、支持孔８１５４２と右下突出支持部８１５４ｄの間に前方に突出する突部ｚが垂設されている。この突部ｚは、図２４及び図２８に示すように、その左側面に形成された正面視円弧状の湾曲面ｚ１により、戻り規制部材８１５２ａの側面部を支持する。なお、突部ｚにおいて、その右側面には、保護部材８１５９の回動を妨げないように凹状部分ｚ２が形成されており、その下端部には、上述したバネ部材８１１３の端部を引っ掛けるための鉤部ｚ３が形成されている。
【０１３８】
支持ベース８１５４の上突出支持部８１５４ｃは、図２８に示すように、第２保持部８１５７を支持するために設けられており、その中央には、第２保持部８１５７の支持軸８１５７ｂが螺着される支持孔８１５４３が形成されている。
また、支持ベース８１５４の右下突出支持部８１５４ｄは、保護部８１５８を回動可能に支持するために設けられており、その中央には、保護部８１５８の軸ねじ８１６０が螺着される支持孔８１５４４が形成されている。
【０１３９】
＜打球動作規制部（第１規制部）８１５１＞
打球動作規制部（第１規制部）８１５１は、図２８に示すように、発射杵８１１１の打球動作範囲を規制する打球規制部材（第１規制部材）８１５１ａと、これを支持する支持軸８１５１ｂとからなる。打球規制部材８１５１ａは、図２４及び図２６に示すように、正面視においては角を丸めた正方形状の、略四角柱状の樹脂製緩衝部材で、例えば、ポリエステル系熱可塑性エラストマーなどである。図２８に示すように、打球規制部材８１５１ａの中心軸部分には、支持軸８１５１ｂを挿通する挿通孔が設けられ、打球規制部材８１５１ａは支持軸８１５１ｂに交換可能に取り付けられる。支持軸８１５１ｂは金属製の軸部材であり、その基端側が支持ベース８１５４の支持孔８１５４１及び支持板８の支持孔８１に取り付けられて固定される。打球規制部材（第１規制部材）８１５１ａは、図２３に示すように、発射杵８１１１が反時計方向に回転する打球動作を行う際に、アーム部８１１１ａに当接してその打球動作範囲を定めるとともに、発射杵８１１１の打球部８１１ｂが遊技球Ｂを打ち放つ際の位置や角度を定める重要な役割を担うものである。本遊技機１０においては、支持ベース８１５４の枠ｘ及び壁ｙにより位置決めされる打球動作規制部材（第１規制部）８１５１aに形成した平面（右側面）で、アーム部８１１１ａの上端部左側面を受けとめることにより（詳細は後述）、遊技球Ｂを所望の位置や角度で打ち放つことができる。
【０１４０】
＜戻り動作規制部（第２規制部）８１５２＞
戻り動作規制部（第２規制部）８１５２は、図２８に示すように、発射杵８１１１の戻り動作範囲を規制する戻り規制部材（第２規制部材）８１５２ａと、これを支持する支持軸８１５２ｂとからなる。戻り規制部材８１５２ａは樹脂製の円筒形緩衝部材であり、例えば、ポリエステル系熱可塑性エラストマーなどである。戻り規制部材８１５２ａの中心孔には、支持軸８１５２ｂが挿通され、戻り規制部材８１５２ａは支持軸８１５２ｂに交換可能に取り付けられる。支持軸８１５２ｂは金属製の軸部材であり、その基端側が支持ベース８１５４の支持孔８１５４２及び支持板８の支持孔８２に取り付けられて固定される。戻り規制部材（第２規制部材）８１５２ａは、図２４に示すように、発射杵８１１１が時計方向に回転する戻り動作を行う際に、アーム部８１１１ａの中央部右側面に当接してその戻り動作範囲を定める。
【０１４１】
＜第１保持部８１５６＞
第１保持部８１５６は、保護部材８１５９を着脱自在に保持するための部材であり、図２６及び図２８に示すように、打球動作規制部８１５１の前方に配設される。第１保持部８１５６は、第１弾性部材８１５６ａと、これを取り付けるための止めねじ８１５６ｂとからなる。第１弾性部材８１５６ａは、正面視略五角形状の二枚の薄板を、間隔を空けた状態でその対向する一辺において繋いで形成した平面視略コの字状の金属製の板ばね部材である。第１弾性部材８１５６ａの二枚の薄板の略中央には挿通孔が対向するように設けられおり、ここに止めねじ８１５６ｂが挿通されて打球規制部８１５１の支持軸８１５１ｂの前面側に螺着される。なお、保護部材８１５９は、その切欠部８１５９ｂ１が打球規制部材８１５１ａと第１弾性部材８１５６ａの間に挿入され、支持軸８１５１ｂの軸部に掛け止められることで閉じた状態に保持されるが、その詳細については後述する。
【０１４２】
＜第２保持部８１５７＞
第２保持部８１５７は、保護部材８１５９を着脱自在に保持するための部材であり、図２６及び図２８に示すように、第２弾性部材８１５７ａと、これを取り付けるための止めねじ８１５７ｂとからなる。第２弾性部材８１５７ａは、上述した第１弾性部材８１５６ａと同部材である。第２弾性部材８１５７ａは、ねじ部材８１５７ｂを挿通孔に挿通し、これを支持孔８１５４３に螺着することにより、支持ベース８１５４に取り付けられる。なお、保護部材８１５９は、その切欠部８１５９ｃ１が支持ベース８１５４と第２弾性部材８１５７ａの間に挿入され、止めねじ８１５７ｂの軸部に掛け止められることで閉じた状態に保持される。
【０１４３】
＜保護部８１５８＞
保護部８１５８は、図２５及び図２６に示すように、発射杵８１１１と打球動作規制部８１５１と戻り動作規制部８１５２の前方を覆いこれらを保護するものであり、発射杵８１１１の回動するスペースを確保した状態で、支持ベース８１５４に対面するように配設されるものである。保護部８１５８は、正面視において略逆くの字形状の金属製部材である保護部材８１５９と、これを支持ベース８１５４に回動可能に軸支する軸ねじ８１６０とからなる。
【０１４４】
保護部材８１５９は、くの字形状の板状部８１５９ａと、板状部８１５９ａの上端部左側に段違いに後方に形成された左上方に突出する左上突出部８１５９ｂと、板状部８１５９ａの上端部上側に段違いに後方に形成された上方に突出する上突出部８１５９ｃと、板状部８１５９ａの下端部右側に段違いに後方に形成された右下方に突出する右下突出部８１５９ｄとからなる。右下突出部８１５９ｄの中央には軸ねじ孔８１５９１が設けられており、軸ねじ８１６０を軸ねじ孔８１５９１、支持孔８１５４４、支持孔８３に取り付けることにより、図２３及び図２４に示すように、保護部材８１５９は支持ベース８１５４及び支持板８等に対して回動可能に軸支される。また、左上突出部８１５９ｂには鉤状の切欠部８１５９ｂ１が、上突出部８１５９ｃには鉤状の切欠部８１５９ｃ１が形成されており、保護部材８１５９を回動させることにより、それぞれ打球動作規制部８１５１の支持軸８１５１ｂ、第２保持部８１５７の止めねじ８１５７ｂに着脱自在に掛け止められる。なお、左上突出部８１５９ｂの上端には後方へ延びる庇部８１５９ｂ２が形成されている（図２６参照）。
【０１４５】
＜下カバー部８６＞
下カバー部８６は、図２８に示すように、発射装置８１の杵駆動部８１１２及び発射杵８１１１下部を保護するためのものであり、これらの前方を覆う樹脂製の下カバー部材８６１を有する。下カバー部材８６１は、略矩形状の板状部８６１ａと、その上辺以外の周縁部分から後方に延びるように形成した側壁部８６１ｂと、その両側に外方に突出し中央にねじ孔ｇ６（一部省略）が設けられた取付部８６１ｃとからなる。下カバー部８６は、ねじ孔ｇ６にねじＧを挿通し、これを支持板８の貫通孔ｇに螺着することにより、支持板８に固定される。
【０１４６】
＜保護部材８１５９の開閉＞
上述したように、保護部材８１５９は、軸ねじ８１６０により支持ベース８１５４に回動可能に軸支され、その先端側の切欠部８１５９ｂ１及び切欠部８１５９ｃ１は、板ばね部材である第１弾性部材８１５６ａ及び第２弾性部材８１５７ａにより、第１保護部８１５６及び第２保護部８１５７に容易に着脱できるように保持される。よって、通常（遊技時など）は、図２３に示すように閉じた状態となっている保護部材８１５９を、メインテナンスの際には、下カバー部８６を取り外し、球送り装置８３の開閉部８３１を開いた（又は取り外した）後に反時計回りに回転させることで、図２４に示すように容易に開いた状態とすることができる。発射杵８１１１、第１規制部８１５１及び第２規制部８１５２を露出させることによって、打球部８１１１ｂ、第１規制部材８１５１ａ及び第２規制部材８１５２ａの交換なども可能となる。なお、保護部材８１５９は、図２３及び図２４に示すように、閉じた状態において支持軸８１５２ｂに取り付けられた戻り規制部材８１５２ａの前方を覆い、その脱落を防ぐ役割も担っている。
【０１４７】
＜支持ベース８１５４の左上突出支持部８１５４ｂ＞
次に、支持ベース８１５４の左上突出支持部８１５４ｂに支持される打球動作規制部８１５１と第１保持部８１５６と保護部材８１５９の関係について説明する。図２９は、支持ベース８１５４の左上突出支持部８１５４ｂと打球動作規制部８１５１と第１保持部８１５６と保護部材８１５９との関係を説明する図２６のＸ−Ｘ線断面図であり、（ａ）は保護部材８１５９を掛け止める前の状態、（ｂ）は保護部材８１５９を掛け止めた後の状態を示す。なお、図２９においては、支持ベース８１５４などが支持板８に支持された状態がわかるように、支持板８を二点鎖線で示している。また、図２９（ａ）においては、紙面前方から支持軸８１５１ｂに掛け止められる保護部材８１５９を、便宜上、支持軸８１５１ｂの上方に二点鎖線で示している。
図２９に示すように、第１保持部８１５６の第１弾性部材８１５６ａの後方の挿通孔ｔの径は、打球動作規制部８１５１の支持軸８１５１ｂの軸部の径、及び、打球動作規制部８１５１の打球規制部材８１５１ａの挿通孔の径と略同じ大きさである。また、第１保持部８１５６の第１弾性部材８１５６ａの前方の挿通孔ｕの径は、後方の挿通孔ｔの径よりも小さく、第１保持部８１５６の止めねじ８１５６ｂの軸部の径と略同じ大きさである。
【０１４８】
保護部材８１５９を掛け止める前は、図２９（ａ）に示すように、打球規制部材８１５１ａは前方に取り付けられる第１弾性部８１５６により位置決めされ、その後端部は支持ベース８１５４の左上突出支持部８１５４ｂの枠部ｘ及び壁部ｙに囲まれた空間である収容部Ｓ（図２８参照）内に軽く嵌まって仮止めされる。そのため、打球規制部材８１５１ａの前面側に容易に保護部材８１５９（左上突出部８１５９ｂ）を挿入することができ、打球規制部材８１５１ａを回転させることなく掛け止めることができる。
【０１４９】
保護部材８１５９を掛け止めた後は、図２９（ｂ）に示すように、保護部材８１５９は第１弾性部材８１５６ａの弾性力により外れないように保持され、打球規制部材８１５１ａは第１弾性部材８１５６ａの弾性力により支持ベース８１５４の左上突出支持部８１５４ｂ側に強く付勢されて収容部Ｓ内にしっかり嵌め込まれて保持された状態となる。なお、掛け止められた保護部材８１５９は、左上突出部８１５９ｂの庇部８１５９ｂ２により打球規制部材８１５１ａの上側面を支えている。また、左上突出部８１５９ｂに庇部８１５９ｂ２を設けることにより、掛け止めた保護部材８１５９が打球規制部材８１５１ａに食い込むことを防いで外し易くしている。
【０１５０】
上述のような構成により、図２３〜図２６に示すように、打球規制部材８１５１ａは、支持軸８１５１ｂに所望の傾き（角度）で支持される。なお、本遊技機１０では、第１弾性部材８１５６ａを止めねじ８１５６ｂにより支持する構成としたが、支持軸８１５１ｂの長さを長くして支持軸８１５１ｂにより支持し、単に第１弾性部材８１５６ａ等の抜け止めとしてねじを取り付ける構成とすることもできる。
【０１５１】
＜発射杵８１１１と発射位置の遊技球Ｂ＞
次に、発射杵８１１１の打球動作について説明する。図３０は、打球時の発射杵８１１１の打球部８１１１ｂと、発射位置に装填された遊技球Ｂとの関係を説明する概略正面図であり、（ａ）は打球部８１１１ｂが発射位置の遊技球に接した瞬間の状態、（ｂ）は打球部８１１１ｂが遊技球に接触しながら回転している状態、（ｃ）は打球部８１１１ｂが遊技球を打ち放つ瞬間（打球部８１１１ｂが打球動作規制部８１５１により打球動作を制止された瞬間）の状態を示す。なお、発射レール８２１のレール部８２１ａは横断面Ｖ字形状であり遊技球Ｂと２点で接するが、図３０においては、便宜上、発射レール８２１（レール部８２１ａ）をその延設方向に延びる直線Ｖで表している。また、以下、打球部８１１１ｂが発射位置の遊技球Ｂに接する瞬間（打球開始時）の位置を打球開始位置と表し、打球部８１１１ｂが打球動作規制部８１５１により制止されて遊技球Ｂを打ち放つ瞬間（打球終了時）の位置を打球終了位置と表わす。また、遊技球Ｂについて、打球開始時の遊技球の位置又はその位置にある遊技球（発射位置にある遊技球）を「Ｂ１」、打球終了時の遊技球の位置等を「Ｂ２」を用いて表わして区別する。
【０１５２】
打球開始位置の発射杵８１１１の打球部８１１１ｂは、図３０（ａ）に示すように、遊技球Ｂ１との接点である点α１と、回転中心である杵回動軸８１１４の中心点Ｏとを結ぶ直線Ｋ１が、発射レール８２１の延設方向（直線Ｖ）に対して垂直になるように配設されている。そのため、発射杵８１１１は、その駆動力を遊技球Ｂ１に効率的に伝えることができる。また、打球部８１１１ｂの先端面Ｊは平面であり、打球開始位置において直線Ｖがその垂線となるように形成されている。よって、打球部８１１１ｂの位置が多少ずれても、遊技球Ｂ１の中心Ｂｏを確実に捕らえることができる。また、打球部８１１１ｂは、遊技球Ｂ１に接した際に、遊技球Ｂ１と打球部８１１１ｂとの接点α１の間に発生する摩擦力が、遊技球Ｂ１と発射レール８２１との間に発生する摩擦力よりも大きくなるように構成されている。具体的には、打球部８１１１ｂの先端面Ｊ（左側面）の表面加工や打球部８１１１ｂ自体の素材の選択等により摩擦係数を大きくしたりすること等が考えられる。なお、例えば、先端面Ｊの横断面をＵ字状とするなどして、遊技球Ｂ１と打球部８１１１ｂの接触面積を大きくして摩擦力を大きくすることもできる。
【０１５３】
発射杵８１１１の打球部８１１１ｂは、その後、図３０（ｂ）に示すように、遊技球Ｂ１に接触した状態を保ちつつ点Ｏを中心として回転する。この際、打球部８１１１ｂの点α１が発射レール８２１側に近づくように（直線Ｖとの距離が短くなるように）回転移動するため、打球部８１１１ｂはその摩擦力により遊技球Ｂ１を巻き込んで、遊技球Ｂ１にバックスピンを掛けながら遊技球Ｂ１´の位置に移動させる。よって、直線Ｖに平行に無回転状態で打ち出すことを防ぐことができ、また、遊技球Ｂ１を掬うように打ち出してしまうこともない。さらに、バックスピンを掛けることにより遊技球Ｂ１が先端面Ｊからの浮いてしまうのを抑えることができ、打球部８１１１ｂとの接触時間を増やして、杵駆動部８１１２の駆動力を効率的に遊技球Ｂ１に伝えることができる。
【０１５４】
打球終了位置の発射杵８１１１の打球部８１１１ｂは、図３０（ｃ）に示すように、放つ直前の位置にある遊技球Ｂ２と接触している接点α２（第１接触部）と、杵回動軸８１１４の中心点Ｏとを結ぶ直線Ｋ２（第１直線）が、発射レール８２１の延設方向に対する垂線の上方を発射レール８２１の先端側に傾けたような直線となる。つまり、図３０（ｃ）に示すように、直線Ｖと直線Ｋ２がなす角γが、遊技球Ｂ２を挟むように鋭角となっている。そのため、打球部８１１１ｂは、発射レール８２１に押し当てるようにして遊技球Ｂ２を放つ。よって、遊技球Ｂ２は発射レール８２１に沿うように転がって発射装置８１から発射され、その軌道は安定したものとなる。なお、遊技球Ｂ２は発射レール８２１側に押し出されるので、打球終了時の遊技球Ｂ２には、必ずしもバックスピンが掛かっている必要がない。
【０１５５】
図３１は、発射杵８１１１の打球部８１１１ｂの一例を示し、（ａ）は発射杵８１１１の一部の正面図、（ｂ）は打球部８１１１ｂの先端面Ｊをその正面から視認した図である。図３１に示すように、打球開始位置において遊技球Ｂ１と接触する接点α１（図３０（ａ）参照）を含む部分（中央部分Ｊ１）と、打球終了位置において遊技球Ｂ２と接触している接点α２（図３０（ｃ）参照）を含む部分（上側部分Ｊ２）とで、遊技球に対する摩擦係数が異なるように加工されている。具体的には、中央部分Ｊ１が上側部分Ｊ２よりも摩擦係数が大きくなるように加工されている。打球開始時には、遊技球Ｂ１にバックスピンを掛けるように作用するものの、打球の途中でバックスピンを掛けることをやめ、遊技球Ｂ２を発射レール８２１側に押し出すように打ち放つときには、無回転であったり、トップスピンが掛かるようにして、遊技球Ｂ２の発射速度が落ちることを防いでいる。
【０１５６】
本遊技機１０によれば、発射杵８１１１の打球部８１１１ｂを発射レール８２１上の遊技球Ｂに垂直に当ててこれにバックスピンを掛け、遊技球を下方に押し出すように打ち放つので、発射杵８１１１の駆動力を効率的に伝えつつ、その軌道が安定するように遊技球を発射することができる。よって、発射レール８２１を短くすることができ、発射装置８１（遊技球発射機構８０）を小型化することが可能である。
【０１５７】
次に、パチンコ機１０の電気的構成について、図３２のブロック図に基づいて説明する。図３２では、電力の供給ラインを二重線矢印で示し、信号ラインを実線矢印で示す。
【０１５８】
主制御装置１０７に設けられた主制御基板３１１には、主制御回路３１２と停電監視回路３１３とが内蔵されている。主制御回路３１２には、ＣＰＵ３２１が搭載されている。ＣＰＵ３２１には、当該ＣＰＵ３２１により実行される各種の制御プログラムや固定値データを記憶したＲＯＭ（不揮発性記憶手段）３２２と、そのＲＯＭ３２２内に記憶される制御プログラムの実行に際して各種のデータ等を一時的に記憶するためのメモリであるＲＡＭ（揮発性記憶手段）３２３と、割込回路やタイマ回路、データ入出力回路などの各種回路が内蔵されている。
【０１５９】
ＲＡＭ３２３は、パチンコ機１０の電源の遮断後においても電源及び発射制御装置１４７に設けられた電源及び発射制御基板３３１からバックアップ電力（データ記憶保持用電力）が供給されてデータが保持される構成となっている。
【０１６０】
ＣＰＵ３２１には、アドレスバス及びデータバスで構成されるバスラインを介して入出力ポートが接続されている。主制御回路３１２の入力側には、主制御基板３１１に設けられた停電監視回路３１３、払出制御装置１４６に設けられた払出制御基板３３２及びその他図示しないスイッチ群などが接続されている。この場合に、停電監視回路３１３には電源及び発射制御基板３３１が接続されており、主制御回路３１２には停電監視回路３１３を介して電力が供給される。
【０１６１】
ちなみに、主制御回路３１２の入力側に接続されるスイッチ群としては、一般入賞口６２に入球した遊技球を検知する一般入賞口センサ３２５と、可変入賞装置６３に入球した遊技球を検知するカウントセンサ３２６と、上作動口６４に入球した遊技球を検知する上作動口センサ３２７と、下作動口６５に入球した遊技球を検知する下作動口センサ３２８と、ファール球入賞口４０１に入球した遊技球を検知するファール球入賞口センサ４７０と、払出装置１３５から払い出される遊技球を検知する払出検出センサ１９９などがある。なお、一般入賞口センサ３２５は、一般入賞口６２に対して１対１で対応させて設けられている。これら入賞検知センサ３２５〜３２８及びファール球入賞検知センサ４７０からの検知結果に基づいて、主制御回路３１２のＣＰＵ３２１において、各種入賞口６２〜６５又はファール球入賞口４０１への遊技球の入球の有無が特定される。
【０１６２】
一方、主制御回路３１２の出力側には、停電監視回路３１３、払出制御基板３３２、中継端子板３３３及び外部端子板１３１が接続されている。払出制御基板３３２には、主制御回路３１２から賞球コマンドなどといった各種コマンドが出力される。また、中継端子板３３３を介して、音声ランプ制御装置１０３に設けられた音声ランプ制御基板３３４に対しても、各種コマンドなどが出力される。なお、外部端子板１３１には、遊技ホール側の管理制御装置が接続されている。
【０１６３】
停電監視回路３１３は、主制御回路３１２と電源及び発射制御基板３３１とを中継し、また電源及び発射制御基板３３１から出力される最大電源である直流安定２４ボルトの電源を監視する。
【０１６４】
払出制御基板３３２は、払出装置１３５により賞球や貸し球の払出制御を行うものである。演算装置であるＣＰＵ３４１は、そのＣＰＵ３４１により実行される制御プログラムや固定値データ等を記憶したＲＯＭ（不揮発性記憶手段）３４２と、ワークメモリ等とし
て使用されるＲＡＭ（揮発性記憶手段）３４３とを備えている。
【０１６５】
払出制御基板３３２のＲＡＭ３４３は、主制御回路３１２のＲＡＭ３２３と同様に、パチンコ機１０の電源の遮断後においても電源及び発射制御基板３３１からバックアップ電力（データ記憶保持用電力）が供給されてデータが保持される構成となっている。
【０１６６】
払出制御基板３３２のＣＰＵ３４１には、アドレスバス及びデータバスで構成されるバスラインを介して入出力ポートが接続されている。払出制御基板３３２の入力側には、主制御回路３１２、電源及び発射制御基板３３１、及び裏パック基板１３６が接続されている。ちなみに、裏パック基板１３６を通じて、球無検知センサ１８６の検知結果及び球抜きボタン２０６の操作の有無が払出制御基板３３２に入力される。また、払出制御基板３３２の出力側には、主制御回路３１２及び裏パック基板１３６が接続されている。
【０１６７】
電源及び発射制御基板３３１は、電源部と発射制御部とを備えている。電源部は、二重線矢印で示す経路を通じて、主制御回路３１２や払出制御基板３３２等に対して各々に必要な動作電力を供給する。発射制御部は、遊技者による遊技球発射ハンドル８４の操作にしたがって遊技球発射機構８０の発射制御を担うものであり、遊技球発射機構８０は所定の発射条件が整っている場合に駆動される。
【０１６８】
また、電源及び発射制御基板３３１には、バックアップ電源部３３１ａが設けられている。バックアップ電源部３３１ａはコンデンサからなり、パチンコ機１０の電源がＯＮ状態の場合（外部電源からの電力供給が行われている場合）に充電される。また、パチンコ機１０の電源がＯＦＦ状態の場合や商用電源における停電発生時といった電源遮断状態（外部電源からの電力供給が遮断されている場合）では、バックアップ電源部３３１ａから放電され主制御回路３１２のＲＡＭ３２３及び払出制御基板３３２のＲＡＭ３４３に対してバックアップ電力が供給される。よって、かかる状況であっても、バックアップ電源部３３１ａからバックアップ電力が供給されている間は、各ＲＡＭ３２３，３４３に記憶された情報が消去されることなく記憶保持される。
【０１６９】
ちなみに、バックアップ電源部３３１ａの容量は比較的大きく確保されており、電源遮断前に各ＲＡＭ３２３，３４３に記憶されていた情報は所定の期間内（例えば、１日や２日）保持される。また、バックアップ電源部３３１ａは、コンデンサに限定されることはなく、バッテリや非充電式電池などであってもよい。非充電式電池の場合、パチンコ機１０の電源がＯＮ状態の際に電断時用電源手段への蓄電を行う必要はないが、定期的に交換する必要が生じる。
【０１７０】
音声ランプ制御基板３３４は、環状電飾部９２、エラー表示ランプ部９３、スピーカ部９４及び表示制御装置１０１を制御するものである。演算装置であるＣＰＵ３５１は、そのＣＰＵ３５１により実行される制御プログラムや固定値データ等を記憶したＲＯＭ３５２と、ワークメモリ等として使用されるＲＡＭ３５３とを備えている。
【０１７１】
音声ランプ制御基板３３４のＣＰＵ３５１にはアドレスバス及びデータバスで構成されるバスラインを介して入出力ポートが接続されている。音声ランプ制御基板３３４の入力側には中継端子板３３３に中継されて主制御回路３１２が接続されており、主制御回路３１２から出力される各種コマンドに基づいて、環状電飾部９２、エラー表示ランプ部９３、スピーカ部９４及び表示制御装置１０１を制御する。表示制御装置１０１は、音声ランプ制御基板３３４から入力する表示コマンドに基づいて図柄表示装置７１を制御する。
【０１７２】
次に、主制御回路３１２のＣＰＵ３２１により実行される各制御処理を図３３〜図３５のフローチャート等を参照しながら説明する。かかるＣＰＵ３２１の処理としては大別して、電源投入に伴い起動されるメイン処理と、定期的に（本実施形態では２ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにＮＭＩ割込み処理とタイマ割込み処理とを説明し、その後メイン処理を説明する。
【０１７３】
図３３は、ＮＭＩ割込み処理であり、当該処理は、停電の発生等によるパチンコ機１０の電源遮断時に実行される。すなわち、停電の発生等によりパチンコ機１０の電源が遮断されると、停電信号が停電監視回路３１３からＣＰＵ３２１のＮＭＩ端子に出力され、ＣＰＵ３２１は実行中の制御を中断してＮＭＩ割込み処理を開始する。ＮＭＩ割込み処理では、ステップＳ１０１にてＲＡＭ３２３に設けられた停電フラグ格納エリアに停電フラグをセットし、本処理を終了する。その後、後述する通常処理にて停電フラグがセットされていることが確認されることで、停電時処理が実行される。
【０１７４】
次に、タイマ割込み処理について図３４のフローチャートを用いて説明する。
先ずステップＳ２０１では、各種スイッチや払出制御基板３３２などからの信号読み込み処理を実行する。ここで、信号読み込み処理では、一般入賞口センサ３２５、カウントセンサ３２６、上作動口センサ３２７及び下作動口センサ３２８から遊技球を検知している旨の検知結果を入力しているか否かを特定し、その特定結果に基づいて賞球コマンドのセットを行う処理を実行する。具体的には、一般入賞口センサ３２５の検知結果に基づいて一般入賞口６２への遊技球の入球を特定した場合には１０個賞球コマンドをセットする。また、カウントセンサ３２６の検知結果に基づいて可変入賞装置６３への遊技球の入球を特定した場合には１５個賞球コマンドをセットする。また、上作動口センサ３２７の検知結果に基づいて上作動口６４への遊技球の入球を特定した場合には３個賞球コマンドをセットする。また、下作動口センサ３２８の検知結果に基づいて下作動口６５への遊技球の入球を特定した場合には４個賞球コマンドをセットする。また、ファール球入賞検知センサ４７０の検知結果に基づいてファール球入賞口４０１への遊技球の入球を特定した場合には１個賞球コマンドをセットする。ここで、セットされた賞球コマンドは、後述する外部出力処理（ステップＳ４０１）にて払出制御基板３３２に出力される。
【０１７５】
その後、ステップＳ２０２では、始動入賞処理を実行する。始動入賞処理では、上作動口センサ３２７及び下作動口センサ３２８から入力した検知結果に基づいて、遊技球が上作動口６４又は下作動口６５に入球したか否かを判定する。そして、遊技球が上作動口６４又は下作動口６５に入球している場合には、第１特定ランプ部７３及び図柄表示装置７１の作動保留球数が上限値未満であることを条件として、その入球に対して大当たりを発生させるか否かの指標となるカウンタ値のＲＡＭ３２３への格納処理を実行する。当該カウンタ値が大当たりの発生に対応した値である場合には、その入球に対応した遊技回において大当たりが発生することとなる。つまり、始動入賞処理において、大当たりといった特別遊技状態への移行抽選機能（移行判定手段）が果たされる。
【０１７６】
始動入賞処理の後、ＣＰＵ３２１は本タイマ割込み処理を一旦終了する。なお、タイマ割込み処理において、大当たりを発生させるか否かの指標となるカウンタ値を更新する処理なども実行するようにしてもよい。
【０１７７】
次に、電源投入時のリセットに伴い起動されるメイン処理について、図３５のフローチャートを用いて説明する。
【０１７８】
先ずステップＳ３０１では、電源投入に伴う初期設定処理を実行する。具体的には、従側の制御基板（払出制御基板３３２等）が動作可能な状態になるのを待つために例えば１秒程度、ウェイト処理を実行する。続くステップＳ３０２では、ＲＡＭ３２３のアクセスを許可する。
【０１７９】
その後、ステップＳ３０３では、電源及び発射制御装置１４７に設けたＲＡＭ消去スイッチ１４９ａがオンされているか否かを判定し、続くステップＳ３０４ではＲＡＭ３２３の停電フラグ格納バッファに停電フラグが格納されているか否かを判定する。また、ステップＳ３０５ではＲＡＭ判定値を算出し、続くステップＳ３０６では、そのＲＡＭ判定値が電源遮断時に保存したＲＡＭ判定値と一致するか否か、すなわち記憶保持されたデータの有効性を判定する。ＲＡＭ判定値は、例えばＲＡＭ３２３の作業領域アドレスにおけるチェックサム値である。なお、ＲＡＭ３２３の所定のエリアに書き込まれたキーワードが正しく保存されているか否かにより記憶保持されたデータの有効性を判断することも可能である。
【０１８０】
上述したように、本パチンコ機１０では、例えばホールの営業開始時など、電源投入時にＲＡＭデータを初期化する場合にはＲＡＭ消去スイッチ１４９ａを押しながら電源が投入される。従って、ＲＡＭ消去スイッチ１４９ａが押されていれば、ステップＳ３０９〜Ｓ３１１の処理に移行する。また、電源遮断の発生情報が設定されていない場合や、ＲＡＭ判定値（チェックサム値等）により記憶保持されたデータの異常が確認された場合も同様にステップＳ３０９〜Ｓ３１１の処理に移行する。
【０１８１】
ステップＳ３０９では、従側の制御基板となる払出制御基板３３２等を初期化するために、払出初期化コマンド等を出力する。続くステップＳ３１０ではＲＡＭ３２３の使用領域を０にクリアし、ステップＳ３１１ではＲＡＭ３２３の初期化処理を実行する。その後、ステップＳ３１２にて割込み許可を設定し、後述する通常処理に移行する。
【０１８２】
一方、ＲＡＭ消去スイッチ１４９ａが押されていない場合には、停電フラグが格納されていること、及びＲＡＭ判定値（チェックサム値等）が正常であることを条件に、ステップＳ３０７に進む。ステップＳ３０７では、停電フラグ格納バッファに格納されている停電フラグをクリアし、ステップＳ３０８にて従側の制御基板を電源遮断前の遊技状態に復帰させるための復電コマンドを出力する。その後、ステップＳ３１２にて割込み許可を設定し、後述する通常処理に移行する。これにより、電源遮断前の状態に復帰する。
【０１８３】
次に、通常処理について、図３６のフローチャートを用いて説明する。この通常処理では遊技の主要な処理が実行される。
【０１８４】
通常処理において、ステップＳ４０１では、前回の処理で更新されたコマンド等の出力データを従側の各制御基板に出力する。具体的には、上述した信号読み込み処理にてセットされた賞球コマンドを払出制御基板３３２に対して出力する。また、図柄表示装置７１による第１図柄の変動表示に際して停止図柄コマンド、変動態様コマンド等を音声ランプ制御基板３３４に出力する。さらに、上述したファール球入賞口４０１への遊技球の入球により１個賞球コマンドがセットされている場合には、音声ランプ制御基板３３４へファール球入賞コマンドが出力される。ファール球入賞コマンドの入力により、音声ランプ制御基板３３４は、環状電飾部９２、スピーカ部９４、表示制御装置１０１などにより、遊技者に対してファール球の入賞と、払出装置１４６からの賞球１球が払い出されることを報知する。
なお、ファール球入賞コマンドは、ファール球の入賞や賞球１球の払い出しを遊技者に報知するだけではなく、様々な用途に利用することが可能である。例えば、ファール球入賞コマンドの出力に基づいて、遊技者が遊技球を意図的に弱く打って（所謂、チョロ打ちで）遊技を行っていると判断して、遊技者に表示制御装置１０１などにより報知（警告）したり、ホール管理者にホールコンピュータなどにより報知したりするように構成することも可能である。具体的には、遊技状態が通常遊技中である際に、遊技球の発射回数に対するファール球入賞コマンドの出力回数の比率が所定数よりも大きい場合や、所定の期間にファール球入賞コマンドの出力が所定回数あった場合などに、チョロ打ちによる遊技が行われていると判断するように構成することができる。
【０１８５】
この外部出力処理においては、遊技領域６１ａ外のファール球入賞口４０１への入賞による１個賞球コマンドを除き、遊技領域６１ａ内の各入賞口６２〜６５への入賞による各種賞球コマンドに基づいて加算された遊技球の払出賞球数が、所定の球数ごと（例えば１０球ごと）にパルス信号として、外部端子板１３１から遊技ホール側の管理装置に出力される。ファール球を下皿９６ａに戻す代わりとして遊技球を１球払い出すための１個賞球コマンドを、他の賞球コマンドと区別することにより、本来の払出賞球数をホールコンピュータにより把握することができる。なお、払出賞球数は、これに限らず種々の態様を採用することが可能であり、上述した払出検知センサ１９９及びファール球入賞検知センサ４７０の検知結果に基づいて算出することなども可能である。
【０１８６】
続くステップＳ４０２では、第１特定ランプ部７３に表示される色の切り替えを行うための第１特定ランプ部制御処理を実行する。第１特定ランプ部制御処理では、大当たり判定や第１特定ランプ部７３に配設されたＬＥＤランプの光源スイッチのオンオフ制御などが行われる。そして、第１特定ランプ制御処理では、始動入賞処理にて格納されたカウンタ値に基づいて大当たりを発生させると判定した場合、遊技状態を大当たり状態に移行させる。つまり、第１特定ランプ制御処理において、特別遊技状態への移行機能（移行手段）が果たされる。なお、第１特定ランプ部制御処理において、図柄表示装置７１による第１図柄の変動表示の設定も行われる。
【０１８７】
第１特定ランプ部制御処理の後は、ステップＳ４０３にて大入賞口開閉処理を実行する。大入賞口開閉処理では、大当たり状態である場合において可変入賞装置６３の大入賞口を開放又は閉鎖する。すなわち、大当たり状態のラウンド毎に大入賞口を開放し、大入賞
口の最大開放時間が経過したか、又は大入賞口に遊技球が規定数だけ入賞したかを判定する。この規定数だけ入賞したか否かの判定は、上述した大入賞口用カウンタを確認することにより行われる。そして、これら何れかの条件が成立すると大入賞口を閉鎖する。つまり、大入賞口開閉処理において、特別遊技状態の進行機能（進行手段）が果たされる。
【０１８８】
その後、ステップＳ４０４では、第２特定ランプ部７４に表示される色の切り替え処理を行うための第２特定ランプ部制御処理を実行する。第２特定ランプ制御処理では、ゲート保留球数が１以上であることを条件に第２特定ランプ部７４における表示色の切り換えを開始する。この際、表示色の切り換え時間も設定する。そして、下作動口６５に付随する電動役物６５ａを所定時間開放する場合には、第２特定ランプ部７４において所定の色の停止表示が行われる。
【０１８９】
ステップＳ４０４の後は、ステップＳ４０５にて、遊技球発射制御処理を実行する。遊技球発射制御処理では、電源及び発射制御基板３３１の発射制御部から発射許可信号を入力していることを条件として、所定期間（例えば、０．６ｓｅｃ）に１回、遊技球発射機構８０のソレノイド８１を励磁する。これにより、発射レール８２１上にある遊技球が遊技領域６１ａに向けて打ち出される。
【０１９０】
続くステップＳ４０６では、ＲＡＭ３２３内に設けられた停電フラグ格納バッファに停電フラグが格納されているか否かを判定する。停電フラグが格納されていない場合は、繰り返し実行される複数の処理の最後の処理が終了したこととなるので、ステップＳ４０７にて次の通常処理の実行タイミングに至ったか否か、すなわち前回の通常処理の開始から所定時間（本実施形態では４ｍｓｅｃ）が経過したか否かを判定する。所定時間が経過していない場合には、ステップＳ４０６に戻り、所定時間が経過している場合には、ステップＳ４０１に戻る。
【０１９１】
一方、ステップ４０６にて、停電フラグが格納されている場合は、電源遮断が発生したことになるので、ステップＳ４０８以降の停電時処理を実行する。つまり、ステップＳ４０８では、タイマ割込み処理の発生を禁止する。続くステップＳ４０９では、電源が遮断されたことを示す停電コマンドを他の制御基板に対して出力する。そして、ステップＳ４１０にてＲＡＭ判定値を算出、保存し、ステップＳ４１１にてＲＡＭ３２３のアクセスを禁止した後に、電源が完全に遮断して処理が実行できなくなるまで無限ループを継続する。なお、電源が完全に遮断された後も、電源及び発射制御基板３３１のバックアップ電源部３３１ａからバックアップ電力が供給されるため、電源遮断前にＲＡＭ３２３に記憶されていた情報はそのままの状態で所定の期間内（例えば、１日や２日）保持される。
【０１９２】
次に、払出制御基板３３２のＣＰＵ３４１により実行される各制御処理を図３７〜図４０のフローチャートを参照しながら説明する。かかるＣＰＵ３４１の処理としては大別して、主制御回路３１２のＣＰＵ３２１からのコマンドの入力により起動される入力時割込み処理と、電源投入に伴い起動されるメイン処理と、定期的に（本実施の形態では２ｍｓｅｃ周期で）起動されるタイマ割込み処理とがあり、説明の便宜上、はじめに入力時割込み処理を説明し、その後、メイン処理、タイマ割込み処理の順で説明する。
【０１９３】
入力時割込み処理は、主制御回路３１２のＣＰＵ３２１からコマンドを入力した場合に後述する他の処理を中断して実行される。入力時割込み処理では、図３７のフローチャートに示すように、ステップＳ５０１にて主制御回路３１２のＣＰＵ３２１からのコマンドをＲＡＭ３４３のコマンド格納バッファに記憶し、その後、ステップＳ５０２にてＲＡＭ３４３に設けられたコマンド入力フラグ格納バッファにコマンド入力フラグを格納し、本処理を終了する。
【０１９４】
次に、払出制御基板３３２のＣＰＵ３４１に実行されるメイン処理を、図３８のフローチャートを用いて説明する。このメイン処理は、電源投入時のリセットに伴い起動される。
【０１９５】
まず、ステップＳ６０１では、電源投入に伴う初期設定処理を実行する。具体的には、割込みモードを設定する。そして、ステップＳ６０２に進んでＲＡＭアクセスを許可すると共に、ステップＳ６０３で外部割込みベクタの設定を行う。
【０１９６】
その後、ステップＳ６０４では、ＲＡＭ３４３の停電フラグ格納バッファに停電フラグが格納されているか否かを判定する。また、ステップＳ６０５ではＲＡＭ判定値を算出し、続くステップＳ６０６では、そのＲＡＭ判定値が電源遮断時に保存したＲＡＭ判定値と一致するか否か、すなわち記憶保持されたデータの有効性を判定する。ＲＡＭ判定値は、例えばＲＡＭ３４３の作業領域アドレスにおけるチェックサム値である。なお、ＲＡＭ３４３の所定のエリアに書き込まれたキーワードが正しく保存されているか否かにより記憶保持されたデータの有効性を判断することも可能である。
【０１９７】
停電フラグが格納されていない場合や、ＲＡＭ判定値（チェックサム値等）により記憶保持されたデータの異常が確認された場合はＲＡＭ３４３の初期化処理（ステップＳ６１１〜Ｓ６１３）に移行する。つまり、ステップＳ６１１ではＲＡＭ３４３の全領域を０にクリアし、続くステップＳ６１２ではＲＡＭ３４３の初期化処理を実行する。また、ステップＳ６１３ではＣＰＵ周辺デバイスの初期設定を行う。
【０１９８】
一方、停電フラグが格納されており、さらにＲＡＭ判定値（チェックサム値等）が正常である場合は、復電時の処理（停電による電源遮断後の復旧時の処理）を実行する。つまり、ステップＳ６０７にて停電フラグをクリアすると共に、ステップＳ６０８にて賞球の払出を許可する払出許可フラグをクリアする。また、ステップＳ６０９ではＣＰＵ周辺デバイスの初期設定を行う。なお、ＲＡＭ判定値は、例えばＲＡＭ３４３の作業領域アドレスにおけるチェックサム値である。
【０１９９】
ステップＳ６０９又はステップＳ６１３の処理の後は、ステップＳ６１０にて割込みを許可し、ステップＳ６１４にてＲＡＭ３４３の停電フラグ格納バッファに停電フラグが格納されているか否かを判定し、停電フラグが格納されていなければ、停電フラグが格納されるまで待機する。
【０２００】
一方、停電フラグが格納されている場合には、停電が発生したことになるので、停電時処理としてステップＳ６１５移行の処理を実行する。停電時処理では、先ずステップＳ６１５にて各割込み処理の発生を禁止する。その後、ステップＳ６１６にてＲＡＭ判定値を算出、保存し、ステップＳ６１７にてＲＡＭ３４３のアクセスを禁止して、電源が完全に遮断して処理が実行できなくなるまで無限ループを継続する。なお、電源が完全に遮断された後も、電源及び発射制御基板３３１からＲＡＭ３４３のデータ記憶保持用電力が供給されるため、電源遮断前にＲＡＭ３４３に記憶されていた情報は所定の期間内（例えば、１日や２日）保持される。
【０２０１】
ここで、本メイン処理では、ステップＳ６０１〜ステップＳ６１３の通常時における一連の処理の終了後に、停電フラグが格納されているか否か（電源遮断が発生したか否か）を判定しているので、各処理の途中の状態で停電時処理が実行されることがない。これにより、電源遮断発生時においてＲＡＭ３４３に記憶するデータ量を極力少なくすることができ、さらには電源遮断前の状態に復帰する場合には、処理の途中から開始する必要はなく、払出制御基板３３２の処理の負担を軽減することができる。
【０２０２】
次に、払出制御基板３３２のＣＰＵ３４１により例えば２ｍｓｅｃ毎に実行されるタイマ割込み処理について、図３９のフローチャートを用いて説明する。
【０２０３】
先ずステップＳ７０１では、主制御回路３１２のＣＰＵ３２１から入力したコマンドの判定を行うコマンド判定処理を実行する。このコマンド判定処理では、図４０に示すように、ステップＳ８０１にて、ＲＡＭ３４３のコマンド入力フラグ格納バッファにコマンド入力フラグが格納されているか否かを判定する。コマンド入力フラグが格納されていない場合は、新たなコマンドが主制御回路３１２のＣＰＵ３２１から出力されていないので、そのまま本処理を終了する。一方、コマンド入力フラグが格納されていた場合は、ステップＳ８０２にてコマンド読出し処理を実行する。コマンド読出し処理では、入力したコマンドをＲＡＭ３４３のコマンドバッファから読出し、さらにコマンド入力フラグをクリアする。
【０２０４】
その後、読み出されたコマンドの種類を、ステップＳ８０３、ステップＳ８０５、ステップＳ８１０及びステップＳ８１１の各処理にて判定し、各コマンドに対応した処理を実行する。つまり、ステップＳ８０３では、停電コマンドであるか否かを判定し、当該コマンドである場合には、ステップＳ８０４にてＲＡＭ３４３の停電フラグ格納バッファに停電フラグを格納して、本処理を終了する。
【０２０５】
ステップＳ８０５では、払出初期化コマンドであるか否かを判定し、当該コマンドである場合には、電源投入時に主制御回路３１２のＣＰＵ３２１からＲＡＭ３４３の初期化が指示されていることになるので、ステップＳ８０６〜ステップＳ８０９の処理を実行した後に本処理を終了する。ステップＳ８０６では、ＲＡＭ３４３に設けられた払出許可フラグ格納バッファに払出許可フラグが格納されているか否かを判定し、当該フラグが格納されていない場合は、ステップＳ８０７にてＲＡＭ３４３の作業領域を０にクリアし、さらにステップＳ８０８にてＲＡＭ３４３の初期値を設定する。その後、ステップＳ８０９にて払出許可フラグを格納することで、賞球の払出が許可される。
【０２０６】
なお、ステップＳ８０６において払出許可フラグが格納されている場合は、ステップＳ８０７及びステップＳ８０８の処理を行うことなく本処理を終了する。かかる構成とすることにより、ＲＡＭ消去スイッチ１４９ａが押されていないにも関わらずノイズなどの原因で払出初期化コマンドの入力を認識したとしても、その際に残っている賞球が遊技者に払い出されることなく消去されることを防止できる。
【０２０７】
ステップＳ８１０では、復電コマンドであるか否かを判定し、当該コマンドである場合には、払出制御基板３３２が停電による電源遮断の前の状態に復帰するので、ステップＳ８０９にて払出許可フラグを格納した後に本処理を終了する。かかる構成とすることにより、電源遮断前に賞球が残っていた場合に当該賞球を即座に払い出すことができる。
【０２０８】
ステップＳ８１１では、賞球コマンドである否かを判定し、当該コマンドである場合には、ステップＳ８１２にて賞球コマンドに対応した賞球個数を総賞球個数に加算した後に、ステップＳ８０９にて払出許可フラグを格納し本処理を終了する。
【０２０９】
タイマ割込み処理（図３９）の説明に戻り、コマンド判定処理を実行した後は、ステップＳ７０２にて払出許可フラグが格納されているか否かを判定する。払出許可フラグが格納されていない場合は、そのまま本処理を終了する。一方、払出許可フラグが格納されている場合は、ステップＳ７０３にて状態復帰スイッチ１４８ａをチェックして、状態復帰動作開始と判定した場合に状態復帰動作を実行する。
【０２１０】
また、ステップＳ７０４では、タンク球の状態の変化に応じてタンク球無し状態又はタンク球無し解除状態の設定を実行する。すなわち、球無検知センサ１８６の検知結果によりタンク１３２の球無状態を判定し、球無状態であると判定した場合には球無状態の設定を実行し、球無状態でなくなった場合には球無状態の設定を解除する。
【０２１１】
本パチンコ機１０では、払出制御装置１４６のＲＡＭ３４３に期間計測手段としてカウンタエリアが設けられており、球無検知センサ１８６から球無状態である旨の検知結果を入力している場合、カウンタエリアにてその入力継続期間が計測される。そして、入力継続期間が１ｓｅｃに達した時点で払出装置１３５の払出速度をそれまでよりも遅い低速周期に変更する。例えば、通常周期は６０ｍｓｅｃに１個の遊技球を払い出す周期であり、低速周期は１．２ｓｅｃに１個の遊技球を払い出す周期である。また、低速周期で遊技球の払出を実行している状況であって、上記入力継続期間が１０ｓｅｃに達した場合には払出装置１３５が停止されるとともにその状態が維持されるように規制される。ステップＳ７０４では、上記入力継続期間が１ｓｅｃに達した時点で、ＲＡＭ３４３に低速設定フラグを格納するとともに、上記入力継続期間が１０ｓｅｃに達した時点で、賞球の払出不可状態の設定を行う。なお、期間計測手段としてカウンタエリアに代えて、リアルタイマを設けてもよい。
【０２１２】
また、払出装置１３５の払出速度が低速周期である状況及び遊技球の払出が停止されている状況において球無状態である旨の検知結果が途切れることで、これら球無状態の設定が解除される。これにより、上記低速状態及び上記賞球の払出不許可状態が解除される。
【０２１３】
ここで、球無状態となったことに基づいて払出装置１３５の払出動作を停止させることで、球無状態であるにも関わらず、払出装置１３５が払出動作を続けてしまうことが防止される。
【０２１４】
また、払出装置１３５の払出動作を停止させる前段階で払出速度を低速周期に変更させたことにより、以下の効果が得られる。つまり、大当たり状態などのように多数の遊技球が短時間で払い出される場合、タンク１３２から上下通路ユニット１３４側への遊技球の流入が遅れることがある。この場合に、払出速度を低速周期に変更させない構成を想定すると、球無検知センサ１８６よりも下流側にある遊技球の払出が即座に完了してしまい、実際には大当たり状態に対する賞球数の情報が未だ残っているにも関わらず、遊技球の払出が停止されてしまう。そうすると、遊技者は大当たり状態における遊技球の払出が完了したと勘違いし、パチンコ機１０から離れてしまう可能性がある。これに対して、上記のように払出速度を低速周期に変更させることで、上記状況となった場合には球無検知センサ１８６よりも下流側にある遊技球がゆっくりと払い出され、その間にタンク１３２から上下通路ユニット１３４側へ遊技球が流入する可能性が高まる。よって、上記のような不都合が発生する可能性が低減される。
【０２１５】
タイマ割込み処理（図３９）の説明に戻り、ステップＳ７０４の後は、ステップＳ７０５にて、報知する状態の有無を判定し、報知する状態が有る場合には払出制御装置２４２に設けた７セグメントＬＥＤにより報知する。
【０２１６】
ステップＳ７０６〜Ｓ７０９では、賞球払出の処理を実行する。先ずステップＳ７０６では、球抜きボタン２０６が操作されているか否かを判定する。球抜きボタン２０６が操作されていない場合には、ステップＳ７０７にて賞球の払出不可状態であるか否かを判定する。賞球の払出不可状態である場合にはＲＡＭ３４３に賞球数の情報が記憶されているか否かに関係なく、賞球払出の処理を終了する。この場合、図示は省略するが、払出モータ１９８の駆動制御が行われている場合にはその駆動制御を停止させ遊技球の払出を停止させる。
【０２１７】
球抜きボタン２０６が操作されておりステップＳ７０６にて肯定判定をした場合又は賞球の払出不許可状態ではなくステップＳ７０７にて否定判定をした場合には、ステップＳ７０８にてＲＡＭ３４３に賞球数の情報が記憶されているか否かを判定する。賞球数の情報が記憶されている場合には、ステップＳ７０９に進み、賞球制御処理を開始する。
【０２１８】
賞球制御処理では、払出装置１３５を駆動制御の開始又は払出速度の設定を実行する。賞球数の情報が記憶されていない場合には、賞球の払出処理を終了する。この場合、図示は省略するが、払出モータ１９８の駆動制御が行われている場合にはその駆動制御を停止させ遊技球の払出を停止させる。
【０２１９】
賞球の払出処理を終了した後は、ステップＳ７１０〜Ｓ７１２の貸球払出の処理に移行する。貸球払出の処理において、貸球の払出不可状態でなく且つ貸球払出要求を入力していれば（ステップＳ７１０がＮＯ、Ｓ７１１がＹＥＳ）、ステップＳ７１２に進み、貸球制御処理を開始する。貸球制御処理では、払出装置１３５を駆動制御し、貸球払出要求に対応した数の遊技球を払い出す。また、貸球の払出不可状態又は貸球払出要求を入力していなければ（ステップＳ７１０がＹＥＳ又はＳ７１１がＮＯ）、ステップＳ７１３に進む。
【０２２０】
ステップＳ７１３では、球詰まり状態であることを条件にタンク１３２に設けられたバイブレータの制御（バイブモータ制御）を実行する。その後、本タイマ割込み処理を終了する。
【０２２１】
本発明の遊技機１０は、ファール球をファール球入賞口４０１，４０１ｘから遊技機１０外部に排出し、ファール球自体を遊技者に返却する代わりに払出装置１３５から賞球１個を上皿９５ａに払い出すように構成されている。上皿９５ａに払い出されるので、ファール球が発生した場合でもそれを下皿９６ａから上皿９５ａに移動させる必要がなく、遊技を円滑に行うことができる。また、ファール球が入賞した際には、遊技者に報知されるので、遊技者はファール球が賞球という形で返却されることを認識することができる。なお、遊技者への報知はファール球の入賞の検知によるものに限らず、例えば、１個賞球の払い出しの検知によるものとしてもよく、ファール球が賞球という形で返却されること又は返却されたことを遊技者が認識できればよい。
【０２２２】
ファール球入賞口４０１，４０１ｘのファール球用貫通孔４１０を、遊技盤６１自体に設けることにより、ファール球入賞検出センサ４７０を遊技盤６１の背面側に設けることができ、その背面側に設置される主制御装置１０７に容易に接続することができる。また、ファール球入賞口４０１，４０１ｘを、発射球誘導通路６１ｐの途中位置の下方に設けることにより、ファール球を早期に発射球誘導通路６１ｐ内から退けることができるので、次に発射される遊技球との衝突を少なくすることができる。また、ファール球入賞検知センサ４７０をファール球排出樋４８０の上端部に設け、ファール球の入賞を早期に検知するので、代替の遊技球（賞球）をすぐに遊技者に払い出すことができ、遊技を円滑に進行させることができる。
【０２２３】
ファール球入賞口４０１，４０１ｘは、到達可能最下位置Ｌよりも下端側に設けられているので、遊技領域６１ａに到達する到達最低強度以上で発射された遊技球の動きを妨げることがない。また、到達最低強度よりも弱い強度で発射され、ファール球となる遊技球については、左側減速部４４０又は右側減速部４５０によりその移動速度を減速させることができるので、より短い時間で、また、より確実にファール球入賞口４０１，４０１ｘに入賞させることができる。よって、ファール球とその次に発射される遊技球とが衝突する虞を小さくすることができる。
また、１個賞球コマンドを他の賞球コマンドと区別できる構成とすることにより、本来の払出賞球数の情報を外部端子板１３１の外部出力端子からホールコンピュータに出力し、ホールの経営管理に活用することができる。
【０２２４】
なお、本発明は、打球動作において、遊技球を発射レールの延設方向よりも下側に押し出すように回転する発射杵を有する構成であれば、上述した実施例に限定されず、本発明の要旨を逸脱しない範囲で種々変更できることは勿論である。
【０２２５】
以下、上述した実施の形態から抽出される発明群の特徴について、必要に応じて効果等を示しつつ説明する。なお、実施例で示した構成要素との対応がわかるように明示しているが、明示した構成に限定されず、発明の要旨を逸脱しない範囲で種々変更が可能である。
【０２２６】
遊技機Ａ
遊技機Ａは、遊技球を使用して遊技をするパチンコ機等の遊技機に関する。
【０２２７】
従来、遊技機の一種であるパチンコ機には、遊技球が流下する遊技領域が前面側に設けられている。遊技球は、遊技者の発射操作に基づいて発射レール上から発射され、誘導通路を形成するレール部材により遊技領域の上部に誘導される。遊技球が遊技領域内に設けられた各種入賞口に入球すると、所定の個数の遊技球（賞球）が払出装置から受け皿に払い出される。
【０２２８】
遊技中には、発射された遊技球が遊技領域まで到達せずに誘導通路を逆流することがある。逆流した遊技球や誘導通路まで届かなかった遊技球（以下、これらをファール球という）は、誘導通路と発射レールの間のファール球回収口により回収され受け皿に戻されて、遊技者に返却される。ここで、パチンコ機には、貯留された遊技球を遊技球発射機構側に自然に流れるように導く上皿と、上皿から余剰となった遊技球を移動させて貯留できる下皿の２つが設けられているものがある。このようなパチンコ機では、払出装置からの賞球は基本的に上皿に払い出され、ファール球は下皿に戻されるように構成されている。
【０２２９】
ファール球が下皿に戻される理由としては、迫力ある演出のために遊技盤の遊技領域を大きくすると必然的にファール球回収口が下方に下がるため、その位置的な関係により上方の上皿に戻すことが困難であることが挙げられる。また、ファール球を下皿に戻すことにより、上皿に払い出される賞球に紛れることがないので、遊技者がファール球の返却を確認しやすいという効果もある。さらに、遊技終了時、上皿用の球抜きボタンを操作しても遊技球発射機構側に誘導されて返却されない遊技球を、ファール球回収口から下皿に戻すことによって、遊技者が回収しやすくすることなどが挙げられる。しかし、下皿に戻されたファール球を再度発射させるためには、発射操作をしていない片方の手で上皿に移す必要があり、遊技者にとって煩わしいものであった。そのため、ファール球を下皿から上皿に移す必要のない遊技機が提案されている。
【０２３０】
例えば、特許文献２の特開平７−８０１４１号の「弾球遊技機」は、球タンクと、この球タンク内に貯留されたパチンコ球が流下する導出樋と、この導出樋を流下するパチンコ球を１球づつ払い出すことができる球払出装置と、この球払出装置から払い出されたパチンコ球が流下する流下樋と、この流下樋の下端から分岐して下方に延びた払出樋および回収樋と、払出樋の途中の樋内部に開口した上皿払出口と、回収樋の下端に設けられ、回収樋を流下するパチンコ球を遊技機の外部に排出するための球出口と、遊技盤の下方で上方に開口したファール孔とを有した弾球遊技機において、上記弾球遊技機は、上記ファール孔から延びて上記回収樋の途中に接続され、ファール孔に投入されたファール球を上記球出口に導くファール樋と、このファール樋の途中に設けられ、ファール樋を流下するファール球を検出して検出信号を出力するファール球検出器と、このファール球検出器からの検出信号を入力するたびに、パチンコ球を１球づつ流下樋に払い出すための制御信号を上記球払出装置に出力する払出装置制御回路とを備えたことを特徴とする。
【特許文献２】特開平７−８０１４１号公報
【０２３１】
特許文献２の「弾球遊技機」は、ファール球を検出しながら遊技機の外部に排出し、検出のたびに別の遊技球を球払出装置から上皿に払い出すものである。ファール球に代わる遊技球が上皿に払い出されるので、ファール球を下皿から上皿に移す手間を省くことができる。しかしながら、ファール球を回収するファール孔及び回収されたファール球を検出するファール球検出器がそれぞれ遊技盤の下方に設けられている。そのため、ファール球検出器と接続される払出装置制御回路（主制御装置）が遊技盤の背面側に設置されている場合には、これらの接続が複雑になるという問題があった。
【０２３２】
本発明は、上述した問題を解決するために創案されたものである。すなわち本発明の目的は、ファール球が入賞すると賞球１個を払い出すファール球入賞口を遊技盤に設けることにより、遊技盤の背面側に設置される主制御装置との接続を容易に行うことができる遊技機を提供することにある。
【０２３３】
遊技機Ａ１は、
遊技球が流下する遊技領域（遊技領域６１ａ）と該遊技領域に遊技球を誘導するための発射球誘導通路（発射球誘導通路６１ｐ）とが形成された遊技盤（遊技盤６１）と、
前記発射球誘導通路内に向けて遊技球を発射する発射装置（発射装置８１）と、
前記発射装置により発射されたにもかかわらず、前記遊技領域に到達せず前記発射球誘導通路を逆流するファール球が流入可能なファール球入賞口（ファール球入賞口４０１，４０１ｘ）と、
前記ファール球入賞口へのファール球の入賞を検知するファール球入賞検知手段（ファール球入賞検知センサ４７０）と、
前記ファール球入賞口への入賞が検知された際に、賞球を払い出す払出装置（払出装置１３５）と、
前記ファール球入賞検知手段の検知結果に基づいて所定数の賞球を払い出すように前記払出装置を制御する制御装置（主制御装置１０７）と、を備え、
前記ファール球入賞口は、前記遊技盤を貫通するファール球用貫通孔（ファール球用貫通孔４１０）を有し、
前記制御装置は、前記遊技盤の背面側に設けられ、ファール球入賞口にファール球が入賞した際には、該ファール球を返却する代わりに、前記払出装置から賞球を１球払い出すように制御する、ことを特徴とする遊技機。
遊技機Ａ１によれば、遊技者に、ファール球の代替球として賞球１個を上皿に払い出すので、ファール球を上皿に移す手間が省け、遊技を円滑に行うことができる。ファール球入賞口のファール球用貫通孔が遊技盤に形成され、ファール球の入賞を検出する検出手段を遊技盤の背面側に設けることができるので、遊技盤の背面側に配設される制御装置と容易に接続することができる。
【０２３４】
遊技機Ａ２は、前記ファール球入賞口は、前記発射球誘導通路の途中位置の下方に設けられている、ことを特徴とする遊技機Ａ１の遊技機。
遊技機Ａ２によれば、ファール球を早期に発射球誘導通路内から退けることができるので、次に発射される遊技球との衝突を少なくして、遊技を円滑に進行させることができる。
【０２３５】
遊技機Ａ３は、
前記発射球誘導通路の外縁部は、発射された遊技球を前記誘導領域の上部へ導く誘導部材（外レール７８）により形成されており、
前記ファール球入賞口は、前記遊技領域に到達するための最低の打ち出し強さである到達最低強度以上の打ち出し強さで発射された遊技球が、前記誘導部材に最初に当たる到達可能最下位置（到達可能最下位置Ｌ）よりも、下端側に設けられている、ことを特徴とする遊技機Ａ２の遊技機。
遊技機Ａ３によれば、遊技領域に到達する到達最低強度以上で発射された遊技球の移動を妨げることなく、ファール球を発射球誘導通路内から退けることができる。
【０２３６】
遊技機Ａ４は、
前記到達可能最下位置と前記ファール球入賞口との間に、前記到達最低強度よりも弱い打ち出し強さで発射されたファール球となる遊技球の移動速度を減ずる減速部（左側減速部４４０）が設けられている、ことを特徴とする遊技機Ａ３の遊技機。
遊技機Ａ４によれば、ファール球の移動速度を減速させることにより、ファール球の移動距離を少なくすることができるので、ファール球の入賞を早めることができ、次に発射される遊技球との衝突の可能性を減ずることすることができる。また、逆流するファール球が、ファール球入賞口を飛び越えてしまうことを防ぐことができるので、より確実にファール球をファール球入賞口に入賞させることができる。
【０２３７】
遊技機Ａ５は、
ファール球の入賞を報知するファール球入賞報知手段（環状電飾部９２、エラー表示ランプ部９３、スピーカ部９４、表示制御装置１０１）をさらに備え、
前記制御装置は、前記ファール球入賞検知手段がファール球の入賞を検知した際には、前記ファール球入賞報知手段によりファール球の入賞を報知するように制御する、ことを特徴とする遊技機Ａ１、Ａ２、Ａ３又はＡ４の遊技機。
遊技機Ａ５によれば、遊技者はファール球が賞球という形で返却されることを認識することができる。
【０２３８】
遊技機Ｂ
本発明は、遊技球を使用して遊技をするパチンコ機等の遊技機に関する。
【０２３９】
従来、遊技機の一種であるパチンコ機の前面側には、遊技球が流下する遊技領域が設けられている。遊技球は、遊技者の操作に基づいて動作する発射装置により発射レール上から発射され、誘導通路を形成するレール部材により遊技領域の上部に誘導される。そして、遊技領域内に設けられた各種入賞口に遊技球が入球すると、所定の個数の遊技球（賞球）が遊技者に払い出される。
【０２４０】
遊技機には、例えば、リニアソレノイドを発射装置として用いて、発射レール上の遊技球を打ち出すように構成されているものがある。このような遊技機の場合、プランジャが発射レールの延設方向と平行に往復移動できるように、リニアソレノイドを発射レールの一端側に配置する。そのため、どうしても発射装置が横長に大きくなってしまい、限られた遊技機内のスペースを有効に使用できないという問題があった。そのため、発射装置にロータリーソレノイドを用いて、これを小型化した遊技機が提案されている。
【０２４１】
例えば、特許文献１の特開２０１１−９２２６６号の「パチンコ発射装置及びそのパチンコ発射装置を備えた遊技機」は、複数の腕状部を持ち、この複数の腕状部が略１８０°の角度範囲内にある磁性体から成るロータと、ロータの腕状部の数と同数の磁極面を有するヨークから成るステータと、ヨークに巻かれたコイルと、を備えたロータリーソレノイドと、ロータの回転軸に略Ｌ字形状のハンマーを備え、Ｌ字の短片部と長片部で囲まれる側であって、ハンマーが遊技球を打球したときに該ハンマーの長片部が当接する一方、ハンマーが待機位置に戻るときには該ハンマーの短片部が当接する位置に、ハンマーの可動を規制するストッパを設けたことを特徴とする。
【０２４２】
特許文献１：特開２０１１−９２２６６号公報
【０２４３】
特許文献１の「パチンコ発射装置及びそのパチンコ発射装置を備えた遊技機」は、回動するハンマーを用いて遊技球を打ち出すとともに、打球時及び待機時にハンマーの可動を規制するストッパを設けることにより、発射装置の小型化を図っている。
【０２４４】
しかし、この遊技機によれば、発射装置を小型化することはできるものの、直線状の発射レール上にある遊技球を回動するハンマーにより打ち出すので、遊技球を一点で捕えて発射させることが困難であった。遊技球をハンマーで掬うようにして打ち出すため、遊技球が発射レールから浮き上がってしまい軌道が安定しないという問題があった。
【０２４５】
本発明は、上述した問題を解決するために創案されたものである。すなわち、本発明の目的は、軌道が安定するように遊技球を発射させることができる発射装置を備えた遊技機を提供することにある。
【０２４６】
［遊技機Ｂ１］
遊技球が流下する遊技領域が前面側に形成された遊技盤（遊技盤６１）と、
前記遊技領域に向けて発射位置に装填された遊技球（遊技球Ｂ）を発射する発射装置（発射装置８１）と、
前記発射装置により発射された遊技球を前記遊技領域へ導く発射レール（発射レール８２１）と、
前記発射装置の動作制御を行う制御装置（発射制御装置１４７）と、を備え、
前記発射装置は、
前記制御装置の制御信号に基づいて駆動する駆動源（杵駆動部８１１２）により打球動作と戻り動作とを交互に行う、回動軸（杵回動軸８１１４）に軸支された発射杵（発射杵  ８１１１）を有し、
前記発射杵は、前記打球動作において、前記発射位置の遊技球を前記発射レールの延設方向よりも下方に押し出すよう動作する、ことを特徴とする遊技機。
【０２４７】
［遊技機Ｂ２］
上記遊技機Ｂ１において、前記発射装置は、前記打球動作における前記発射杵の回転範囲を規制する第１規制部材（打球規制部材８１５１ａ）を有する回動規制機構（回動規制機構８１５）を備え、
前記発射杵は、正面視において、前記打球動作において前記発射位置に装填されていた遊技球を放つ直前に該遊技球と接触している第１接触部と、前記回動軸の中心とを結ぶ第１直線が、前記発射レールの延設方向に対する垂線の上方を該発射レールの先端側に傾斜させた直線と平行となるように、前記第１規制部材により規制される、ことを特徴とする遊技機。
遊技機Ｂ１又は遊技機Ｂ２によれば、発射レールに沿って移動するように遊技球を発射させることにより、遊技球の軌道を安定させることができる。また、これにより、発射レールを短くすることができ発射装置の小型化が可能である。
【０２４８】
［遊技機Ｂ３］
上記遊技機Ｂ１又は遊技機Ｂ２において、前記発射杵は、前記打球動作において、前記発射位置の遊技球に接触しながら回転することにより、該遊技球にバックスピンを掛ける、ことを特徴とする遊技機。
【０２４９】
［遊技機Ｂ４］
上記遊技機Ｂ１〜遊技機Ｂ３のいずれか１つにおいて、前記発射杵が前記発射位置の遊技球に接した際に、該遊技球と該発射杵の間に発生する摩擦力が、該遊技球と前記発射レールの間に発生する摩擦力よりも大きくなるように構成されている、ことを特徴とする遊技機。
遊技機Ｂ３又は遊技機Ｂ４によれば、バックスピンを掛けることにより遊技球の浮きを抑えて、軌道を安定させることができる。また、発射杵と遊技球の接触時間を増やすことにより力積を大きくして、効率的に駆動源の力を伝えることができる。
【０２５０】
［遊技機Ｂ５］
上記遊技機Ｂ２〜遊技機Ｂ４のいずれか１つにおいて、前記回動規制機構は、
前記発射杵の前面側を開閉可能に覆う保護部材（保護部材８１５９）と、
前記第１規制部材が支持される支持部（支持軸８１５１ｂ、止めねじ８１５６ｂ）とを有し、
前記保護部材は、略垂直面内において回動可能となるように基端側が軸支され、かつ、先端側が前記支持部に着脱可能に掛け止められるように構成されている、ことを特徴とする遊技機。
遊技機Ｂ５によれば、発射杵を保護し、発射杵に対する不正を防止することができる。また、容易に開閉可能な構成となっているので、発射杵のメインテナンス作業を行い易い。保護部材の掛け止めに第１規制部材の支持軸を利用することにより簡単な構成として、発射装置を小型化することができる。
【０２５１】
［遊技機Ｂ６］
上記遊技機Ｂ５において、前記回動規制機構は、
前記支持部に支持されている前記第１規制部材の前方に配置され、該支持部に支持される第１弾性部材（第１弾性部材８１５６ａ）と、
前記第１規制部材の後方に配置され、該第１規制部材の後部を保持する収容部（収容部Ｓ）が形成された支持ベース（支持ベース８１５４）とを有し、
前記第１規制部材は、前記第１弾性部材により、その後部が前記収容部内に仮止めされており、前記保護部材を前記支持部に掛け止めた際には該第１弾性部材の弾性力により該収容部内に保持される、ことを特徴とする遊技機。
遊技機Ｂ６によれば、第１弾性部材により、保護部材を外れないように保持することができる。また、収容部により、第１規制部材の向きを変えることなく保護部材を支持部に着脱することができる。また、保護部材を支持部に掛け止めることにより、第１規制部材を収容部にしっかりと保持させることができる。
【０２５２】
［遊技機Ｂ７］
上記遊技機Ｂ１〜遊技機Ｂ６のいずれか１つにおいて、前記発射装置は、前記駆動源の上方を覆うトレー（トレー部８３１ｆ）と、該トレー上に流れてきた液体を外部に排出するための排出口（流入口８３１ｇ）と、を有する、ことを特徴とする遊技機。
遊技機Ｂ７によれば、遊技者が飲み物などを溢しても、駆動源が濡れることのないように保護することができる。
【０２５３】
［遊技機Ｂ８］
上記遊技機Ｂ１〜遊技機Ｂ７のいずれか１つにおいて、前記遊技盤が支持される遊技機ベースユニット（遊技機ベースユニット２２）と、
前記遊技盤の前面側を覆い、前記遊技機ベースユニットに開閉可能に設けられる遊技機前面ユニット（遊技機前面ユニット２３）と、
前記遊技機ベースユニット及び前記遊技機前面ユニットの開閉端部に対向して設けられた開閉ガイド機構（開閉ガイド機構９０）と、を備え、
前記開閉ガイド機構は、前記発射装置の下方の空間に配設されたレール状のガイド部材である、ことを特徴とする遊技機。
遊技機Ｂ８によれば、発射装置の小型化により空いたスペースを利用してガイド部材を設け、遊技機前面ユニットの開閉を容易とした。
【産業上の利用可能性】
【０２５４】
本発明は、主に遊技球を遊技媒体とするパチンコ機などの遊技機に利用することができるが、通路内を通る球状部材を回収するものであれば、これ以外の様々な機器に利用することができる。
【符号の説明】
【０２５５】
１０  遊技機（パチンコ機）
８  支持板
６１  遊技盤
６１ａ  遊技領域
６１ｐ  発射球誘導通路
６２  一般入賞口
６３  可変入賞装置
６４  上作動口
６５  下作動口
６６  スルーゲート
７７  内レール
７８  外レール
７７ａ  内誘導レール部
７８ａ，７８ｘ  外誘導レール部
７８ｂ  分断部
７８ａ１  上側外誘導レール部
７８ａ２  下側外誘導レール部
８０  遊技球発射機構
８１  発射装置
８１１  発射部（ロータリーソレノイド）
８１１１  発射杵  
８１１２  杵駆動部
８１１３  バネ部材
８１１４  杵回動軸
８１５  回動規制機構
８１５１  打球動作規制部（第１規制部）
８１５１ａ  打球規制部材（第１規制部材）
８１５１ｂ  支持軸
８１５２  戻り動作規制部（第２規制部）
８１５２ａ  戻り規制部材（第２規制部材）
８１５２ｂ  支持軸
８１５３  支持ベース部
８１５４  支持ベース
８１５６  第１保持部
８１５６ａ  第１弾性部材
８１５６ｂ  止めねじ
８１５７  第２保持部
８１５７ａ  第２弾性部材
８１５７ｂ  止めねじ
８１５８  保護部
８１５９  保護部材
８１６０  軸ねじ
８２  発射レール部
８２１  発射レール
８３  球送り機構
８３１  台座部
８３１ｆ  トレー部
８４  遊技球発射ハンドル
８５  位置決め部
８５１  位置決め部材
８６  下カバー部
８６１  下カバー部材
９０  開閉ガイド機構
９０ａ  ベースユニット側ガイド部材
９０ｂ  前面ユニット側ガイド部材
ｐ  開閉溝部
ｑ  開閉凸部
９１  窓パネル部
９２  環状電飾部
９３  エラー表示ランプ部
９４  スピーカ部
９５ａ  上皿
９６ａ  下皿
１０１  表示制御装置
１０３  音声ランプ制御装置
１０５  主制御装置ユニット
１０７  主制御装置
１３１  外部端子板
１３５  払出装置
１４４  排出通路
１５０  ファール球回収口
２８１  ファール球用開口部
２８０  ファール球用下皿通路部
３２５〜３２８  入賞検知センサ，
４０１，４０１ｘ  ファール球入賞口
４１０  ファール球用貫通孔
４２０  本体部
４２１，４２１ｘ  受け部
４２１ａ  開口部
４２１ｂ  排出口
４２１ｃ  凸部
４２３  装飾部
４２５  取付部
４４０，４４０ｘ  左側減速部
４４１，４４２  左遊技釘
４５０  右側減速部
４５１，４５２  右遊技釘
４６０  弾力材
４７０  ファール球入賞検知センサ
４８０  ファール球排出樋
Ｌ  到達可能最下位置
【図１】
0006489503.tif 000002
【図２】
0006489503.tif 000003
【図３】
0006489503.tif 000004
【図４】
0006489503.tif 000005
【図５】
0006489503.tif 000006
【図６】
0006489503.tif 000007
【図７】
0006489503.tif 000008
【図８】
0006489503.tif 000009
【図９】
0006489503.tif 000010
【図１０】
0006489503.tif 000011
【図１１】
0006489503.tif 000012
【図１２】
0006489503.tif 000013
【図１３】
0006489503.tif 000014
【図１４】
0006489503.tif 000015
【図１５】
0006489503.tif 000016
【図１６】
0006489503.tif 000017
【図１７】
0006489503.tif 000018
【図１８】
0006489503.tif 000019
【図１９】
0006489503.tif 000020
【図２０】
0006489503.tif 000021
【図２１】
0006489503.tif 000022
【図２２】
0006489503.tif 000023
【図２３】
0006489503.tif 000024
【図２４】
0006489503.tif 000025
【図２５】
0006489503.tif 000026
【図２６】
0006489503.tif 000027
【図２７】
0006489503.tif 000028
【図２８】
0006489503.tif 000029
【図２９】
0006489503.tif 000030
【図３０】
0006489503.tif 000031
【図３１】
0006489503.tif 000032
【図３２】
0006489503.tif 000033
【図３３】
0006489503.tif 000034
【図３４】
0006489503.tif 000035
【図３５】
0006489503.tif 000036
【図３６】
0006489503.tif 000037
【図３７】
0006489503.tif 000038
【図３８】
0006489503.tif 000039
【図３９】
0006489503.tif 000040
【図４０】
0006489503.tif 000041